(57)【要約】      （修正有）【課題】クロマトグラフィー用分離剤、クロマトグラフィー用分離剤の製造方法及びクロマトグラフィー用分離剤の使用方法を提供する。特に鏡像異性体の分離に適しているクロマトグラフィー用分離剤を提供する。【解決手段】クロマトグラフィー用分離剤は架橋有機高分子に共有結合したサイクロフラクタン又はサイクロフラクタン誘導体であり、架橋有機高分子が、スチレン系架橋高分子及び／又は（メタ）アクリル系高分子である。かかる分離剤は親水性相互作用液体クロマトグラフィーにおいて良好に機能する。【選択図】なし【特許請求の範囲】
【請求項１】
架橋有機高分子及び式（Ｉ）で表される化合物を含むクロマトグラフィー用分離剤。
【化１】
2014029313.tif 000016
（式中、
ｎは、１〜３を表し；
Ｌは、それぞれ互いに独立して、ＯＲ、ＣＲ３、ＮＲ２Ｒ、Ｏ−Ｃ（＝Ｏ）−Ｒ、Ｏ−Ｃ（＝Ｏ）−ＮＲ２−Ｒ、ＮＲ３Ｃ（＝Ｏ）−ＮＲ２Ｒ、又は、Ｒで置換された
【化２】
2014029313.tif 000017
を表し；
Ｒは、それぞれ互いに独立して、
Ｈ、
任意に１〜３のＲ１で置換された（Ｃ１〜Ｃ２０）アルキル基、
任意に１〜３のＲ１で置換された（Ｃ３〜Ｃ２０）シクロアルキル基、
任意に１〜３のＲ１で置換された（Ｃ５〜Ｃ５０）アリール基、
任意に１〜３のＲ１で置換されたヘテロアリール基、
（Ｃ１〜Ｃ２０）アルコキシ（Ｃ１〜Ｃ２０）アルキル基，
Ｈ２Ｃ＝ＣＨ−（ＬがＯ−Ｃ（＝Ｏ）−Ｒのとき）、
Ｈ２Ｃ＝Ｃ（ＣＨ３）−（ＬがＯ−Ｃ（＝Ｏ）−Ｒのとき）、
アルキレニル−Ｎ＝Ｃ＝Ｏ、
アリーレニル−Ｎ＝Ｃ＝Ｏ、
−ＳＯ２Ｒ５（ＬがＯＲのとき）、
＝ＳＯ３（ＬがＯＲのとき）、
任意に１〜３のＲ１で置換された（Ｃ５〜Ｃ５０）アリール（Ｃ１〜Ｃ２０）アルキル基、
ヒドロキシ基を有さない糖残基（ＬがＯＲのとき）、又は、
架橋有機高分子との共有結合を表し；
Ｒ１は、互いに独立して、任意に１〜３のＲ６で置換された（Ｃ１〜Ｃ１０）アルキル基、ハロ基、ヒドロキシ基、−ＮＲ３Ｒ４、−ＣＯＯＲ２、−ＣＯＲ２、ニトロ基、トリハロアルキル基、又は、−Ｓｉ（ＯＲ２）３を表し；
Ｒ２は、互いに独立して、Ｈ、又は、（Ｃ１〜Ｃ１０）アルキル基を表し；
Ｒ３は、互いに独立して、Ｈ、又は、（Ｃ１〜Ｃ１０）アルキル基を表し；
Ｒ４は、互いに独立して、Ｈ、又は、（Ｃ１〜Ｃ１０）アルキル基を表し；
Ｒ５は、互いに独立して、任意に１〜３のＲ１で置換された（Ｃ１〜Ｃ２０）アルキル基、任意に１〜３のＲ１で置換された（Ｃ５〜Ｃ５０）アリール基、又は、任意に１〜３のＲ１で置換されたヘテロアリール基を表し；
Ｒ６は、互いに独立して、ハロ基、ヒドロキシ基、−ＮＲ３Ｒ４、−ＣＯＯＲ２、−ＣＯＲ２、ニトロ基、トリハロアルキル基、又は、−Ｓｉ（ＯＲ２）３を表し、少なくとも１つのＲは架橋有機高分子との共有結合を表す。）
【請求項２】
架橋有機高分子が、スチレン系架橋高分子及び／又は（メタ）アクリル系高分子である請求項１に記載のクロマトグラフィー用分離剤。
【請求項３】
架橋有機高分子の比表面積が、１０〜１２００ｍ２／ｇである請求項２に記載のクロマトグラフィー用分離剤。
【請求項４】
架橋有機高分子の細孔容積が、０．１〜３．０ｍｌ／ｇである請求項２に記載のクロマトグラフィー用分離剤。
【請求項５】
以下の工程を含むクロマトグラフィー分離方法。
請求項１に記載のクロマトグラフィー用分離剤を含む固定相を準備する工程；及び
前記固定相と、検体を含む移動相とを接触させて、検体を分離する工程
【請求項６】
カラムに固定相を充填することによって、固定相を準備する請求項５に記載の方法。
【請求項７】
移動相が溶媒を含み、検体が該溶媒で運ばれる請求項５に記載の方法。
【請求項８】
検体が鏡像異性体を含む、請求項５に記載の方法。
【請求項９】
固定相がカラム内部の空隙を満たす請求項６に記載の方法。
【請求項１０】
固定相がカラムの内面壁に沿って充填される請求項６に記載の方法。
【請求項１１】
請求項２に記載のクロマトグラフィー用分離剤を製造する方法であって、以下の工程を含む製造方法：
（ｉ）天然又は誘導体化サイクロフラクタンを架橋有機高分子に固定する工程；又は、
（ｉｉ）天然又は誘導体化サイクロフラクタンを含むモノマーを重合する工程。
【請求項１２】
クロマトグラフィー用分離剤のサイクロフラクタンが、さらに誘導体化される請求項１１に記載の方法。
【請求項１３】
天然又は誘導体化サイクロフラクタンを架橋有機高分子に固定する工程が、以下の工程を含む請求項１１に記載の方法。
ａ）官能基含有架橋有機高分子を準備する工程；及び、
ｂ）官能基含有架橋有機高分子と、天然又は誘導体化サイクロフラクタンのヒドロキシ基とを反応させ、天然又は誘導体化サイクロフラクタンを架橋有機高分子に固定する工程
【請求項１４】
天然又は誘導体化サイクロフラクタンのヒドロキシ基がさらに活性化し、架橋有機高分子の官能基と反応する請求項１３に記載の方法。
【請求項１５】
活性化基が、クロロホルメート基、活性カーボネート基、アルキン基、ｐ−トルエンスルホナート基、ｐ−ニトロフェノキシカルボニル基及びイソシアネート基から成る群から選択される請求項１４に記載の方法。
【請求項１６】
官能基が、エポキシ基、ハロ基、カルボキシ基、アミノ基、ヒドロキシ基、クロロホルメート基、ｐ−ニトロフェノキシカルボニル基、イソシアネート基、クロロカルボニル基、アジド基から成る群から選択される請求項１３に記載の方法。
【請求項１７】
官能基含有架橋有機高分子が、（メタ）アクリルモノマー、グリシジルメタクリレート、スチレンモノマー又はエチルスチレンと架橋性モノマーとの懸濁重合の生成物である請求項１３に記載の方法。
【請求項１８】
架橋性モノマーがジビニルベンゼンである請求項１７に記載の方法。
【請求項１９】
官能基含有架橋有機高分子が、架橋有機高分子のカルボキシ基と塩化チオニルとの反応によって製造される請求項１６に記載の方法。
【請求項２０】
官能基含有架橋有機高分子が、架橋有機高分子のヒドロキシ基又はアミノ基とジイソシアネート又はイソシアネート試薬との反応によって製造される請求項１６に記載の方法。
【請求項２１】
官能基含有架橋有機高分子が、架橋有機高分子のヒドロキシ基とｐ−ニトロフェニルクロロホルメート基との反応によって製造される請求項１６に記載の方法。
【請求項２２】
天然又は誘導体化サイクロフラクタン含有モノマーの重合が、１つ以上の架橋性モノマーの存在下で成される請求項１１に記載方法。
【請求項２３】
架橋性モノマーがエチレングリコールジメタクリレートである請求項２２に記載の方法。
【請求項２４】
以下から成る群から選択される請求項１に記載のクロマトグラフィー用分離剤。
【化３】
2014029313.tif 000018
【化４】
2014029313.tif 000019
【化５】
2014029313.tif 000020
（式中、「ｐｏｌｙｍｅｒ」は架橋有機高分子を表し、ＣＦｓは６、７又は８個のフラクトース部分を有するサイクロフラクタン表す。）
【発明の詳細な説明】
【技術分野】
【０００１】
本発明はクロマトグラフィー用分離剤、クロマトグラフィー用分離剤の製造方法及びクロマトグラフィー用分離剤の使用方法に関する。該クロマトグラフィー用分離剤は、特に鏡像異性体の分離に適している。
【背景技術】
【０００２】
過去数十年の間、鏡像異性体のクロマトグラフィー分離は大いに注目を集めた。その間、１００以上のキラル分離剤が開発されてきたが、ごく少数のタイプ／種類のみが、産業における鏡像異性体分離の分野で使用されている。これらの材料は、担体、通常は無機のシリカゲル担体にキラル選択剤をコーティング又は共有結合することによって製造される。キラル選択剤の主な例としては、多糖類、大環状抗生物質及びπ錯体を挙げることができる。
【０００３】
サイクロフラクタン（ＣＦ）は、シリカゲルに結合した特許文献１記載のキラル選択剤である。これらは、β（２→１）結合した６つ以上のＤ−フルクトフラノース単位から成る大環状オリゴ糖のグループである。これらの化合物の一般的な略式名称は、ＣＦ６，ＣＦ７，ＣＦ８等であり、数字は環状オリゴマー中のフラクトース部分の数（すなわち、６、７、８等）を意味する。
【０００４】
サイクロフラクタンは、最初にＫａｗａｍｕｒａとＵｃｈｉｙａｍａによって報告された。（非特許文献１）。参考文献が記載するように、サイクロフラクタンは、Ｂａｃｉｌｌｕｓ  ｃｉｒｃｕｌａｎｓの少なくとも２種の異なる株によるイヌリンの発酵を介して生産することができる。シクロイヌロオリゴ糖フルクタノトランスフェラーゼ酵素（ＣＦ  Ｔａｓｅ）を生産する遺伝子は単離されており、その配列は決定され、一般的な酵母であるＳａｃｃｈａｒｏｍｙｃｅｓ  ｃｅｒｅｖｉｓｉａｅに組み込まれている。したがって、ＣＦは容易に製造することが可能である。ＣＦ６の基本的な構造を図１に示す。より小さなＣＦは、シクロデキストリンのように疎水性の空洞を持たないことを、ＣＦ６のＸ線結晶構造は示している。そのため有機分子とシクロデキストリンとの会合において重要な役割を果たす疎水性包接錯体形成は、サイクロフラクタンと関連するようには思われない。
【０００５】
その代わりに、ＣＦのペントース部分（フルクトース）は、クラウンエーテルコア単位の周囲にプロペラ状の周縁を形成する。例えば、ＣＦ６の結晶構造は、６個のフルクトフラノース環が１８−クラウン−６コアの周囲に螺旋又はプロペラのように配置されており、それぞれがクラウンエーテルの平均平面に向かって上向き又は下向きになっていることを示す。６個の３位ヒドロキシ基は、分子中心に向かって又は分子中心から離れるように交互になっており、内側に向く３個の酸素原子は互いに非常に近接している（約３オングストローム）。相当な数の内部水素結合したヒドロキシ基が存在することが明らかである。ＣＦ６の反対側は、中心の窪みの周囲の−Ｏ−Ｃ−ＣＨ２−Ｏ−のメチレン基によって、より疎水性であるように見える。また計算上のＣＦ６の親油性パターンは、親水性表面及び疎水性表面の明瞭な「表／裏」領域形成も裏付けている。結晶構造と計算論的モデルの両方の研究は、ＣＦ６が相当な数のさらなる内部水素結合を有するであろうことを実証する。したがって、（ｉ）３個のＯＨ基が１８−クラウン−６環の片側を完全に覆い、（ｉｉ）コアクラウン酸素が分子内でほとんど折り重ねられるという理由で、ＣＦ６は他の１８−クラウン−６をベースにしたキラル選択剤とは異なる。
【０００６】
特許文献１は、分離剤として固体のシリカゲルに結合したＣＦの分離性能の例を開示する。特許文献１は、キラル選択剤としてのＣＦを示すが、担体材料、すなわちシリカゲルは欠点を有する。シリカゲルは、キラル及び親水性相互作用液体クロマトグラフィー（ＨＩＬＩＣ）分離に最適であるとは限らない。さらにシリカゲルは、アルカリ溶媒の使用に対する耐久性、バルク材の費用、及び、スケールアップの容易さに限界がある。
【先行技術文献】
【特許文献】
【０００７】
【特許文献１】米国特許出願公開第２０１１／００２４２９２号明細書
【非特許文献】
【０００８】
【非特許文献１】Ｋａｗａｍｕｒａ，Ｍ．ａｎｄ  Ｕｃｈｉｙａｍａ，Ｋ．Ｃａｒｂｏｈｙｄｒ．Ｒｅｓ．，１９８９，１９２）
【発明の概要】
【発明が解決しようとする課題】
【０００９】
本発明の目的は、先行技術におけるこれらの欠点のいくつかを解決し、新規の分離剤、該新規の分離剤の製造方法及び該新規の分離剤の使用方法を提供することである。
【課題を解決するための手段】
【００１０】
本発明の分離剤は様々な分離に使用することができる。特にこの分離剤は、親水性相互作用液体クロマトグラフィー（ＨＩＬＩＣ）分離において性能がよい。
【００１１】
上記の目的は幅広い研究を通して発見された。本発明の目的は、下記のクロマトグラフィー用分離剤により達成される。
【００１２】
（１）項：架橋有機高分子及び式（Ｉ）の化合物を含むクロマトグラフィー用分離剤：
【００１３】
【化１】
2014029313.tif 000002
【００１４】
（式中、
ｎは、１〜３を表し；
Ｌは、それぞれ互いに独立して、ＯＲ、ＣＲ３、ＮＲ２Ｒ、Ｏ−Ｃ（＝Ｏ）−Ｒ、Ｏ−Ｃ（＝Ｏ）−ＮＲ２−Ｒ、ＮＲ３Ｃ（＝Ｏ）−ＮＲ２Ｒ、又は、Ｒで置換された
【００１５】
【化２】
2014029313.tif 000003
【００１６】
を表し；
Ｒは、それぞれ互いに独立して、
Ｈ、
任意に１〜３のＲ１で置換された（Ｃ１〜Ｃ２０）アルキル基、
任意に１〜３のＲ１で置換された（Ｃ３〜Ｃ２０）シクロアルキル基、
任意に１〜３のＲ１で置換された（Ｃ５〜Ｃ５０）アリール基、
任意に１〜３のＲ１で置換されたヘテロアリール基、
（Ｃ１〜Ｃ２０）アルコキシ（Ｃ１〜Ｃ２０）アルキル基，
Ｈ２Ｃ＝ＣＨ−（ＬがＯ−Ｃ（＝Ｏ）−Ｒのとき）、
Ｈ２Ｃ＝Ｃ（ＣＨ３）−（ＬがＯ−Ｃ（＝Ｏ）−Ｒのとき）、
アルキレニル−Ｎ＝Ｃ＝Ｏ、
アリーレニル−Ｎ＝Ｃ＝Ｏ、
−ＳＯ２Ｒ５（ＬがＯＲのとき）、
＝ＳＯ３（ＬがＯＲのとき）、
任意に１〜３のＲ１で置換された（Ｃ５〜Ｃ５０）アリール（Ｃ１〜Ｃ２０）アルキル基、
ヒドロキシ基を有さない糖残基（ＬがＯＲのとき）、又は、
架橋有機高分子との共有結合を表し；
Ｒ１は、互いに独立して、任意に１〜３のＲ６で置換された（Ｃ１〜Ｃ１０）アルキル基、ハロ基、ヒドロキシ基、−ＮＲ３Ｒ４、−ＣＯＯＲ２、−ＣＯＲ２、ニトロ基、トリハロアルキル基、又は、−Ｓｉ（ＯＲ２）３を表し；
Ｒ２は、互いに独立して、Ｈ、又は、（Ｃ１〜Ｃ１０）アルキル基を表し；
Ｒ３は、互いに独立して、Ｈ、又は、（Ｃ１〜Ｃ１０）アルキル基を表し；
Ｒ４は、互いに独立して、Ｈ、又は、（Ｃ１〜Ｃ１０）アルキル基を表し；
Ｒ５は、互いに独立して、任意に１〜３のＲ１で置換された（Ｃ１〜Ｃ２０）アルキル基、任意に１〜３のＲ１で置換された（Ｃ５〜Ｃ５０）アリール基、又は、任意に１〜３のＲ１で置換されたヘテロアリール基を表し；
Ｒ６は、互いに独立して、ハロ基、ヒドロキシ基、−ＮＲ３Ｒ４、−ＣＯＯＲ２、−ＣＯＲ２、ニトロ基、トリハロアルキル基、又は、−Ｓｉ（ＯＲ２）３を表し、少なくとも１つのＲは架橋有機高分子との共有結合を表す。）
【００１７】
（２）項：架橋有機高分子が、スチレン系架橋高分子及び／又は（メタ）アクリル系高分子である（１）項のクロマトグラフィー用分離剤。
【００１８】
（３）項：架橋有機高分子の比表面積が、１０〜１２００ｍ２／ｇである（２）項のクロマトグラフィー用分離剤。
【００１９】
（４）項：架橋有機高分子の細孔容積が、０．１〜３．０ｍｌ／ｇである（２）項のクロマトグラフィー用分離剤。
【００２０】
本発明のクロマトグラフィー用分離剤の使用方法を以下に説明する。
【００２１】
（５）項：以下の工程を含むクロマトグラフィー分離方法：
（１）〜（４）項のいずれか一項のクロマトグラフィー用分離剤を含む固定相を製造する工程；及び
該固定相と、検体を含む移動相とを接触させて、検体を分離する工程。
【００２２】
（６）項：カラムに固定相を充填することによって、固定相を製造する（５）項の方法。
【００２３】
（７）項：移動相が溶媒を含み、検体が該溶媒で運ばれる（５）又は（６）項の方法。
【００２４】
（８）項：検体が鏡像異性体を含む（５）、（６）又は（７）項の方法。
【００２５】
（９）項：固定相がカラム内部の空隙を満たす（６）項の方法。
【００２６】
（１０）項：固定相がカラムの内面壁に沿って充填される（６）項の方法。
【００２７】
本発明のクロマトグラフィー用分離剤の製造方法を以下に説明する。
【００２８】
（１１）項：以下の工程を含む（２）項のクロマトグラフィー用分離剤の製造方法：
（ｉ）天然又は誘導体化サイクロフラクタンを架橋有機高分子に固定する工程；又は、
（ｉｉ）天然又は誘導体化サイクロフラクタンを含むモノマーを重合する工程。
【００２９】
（１２）項：クロマトグラフィー用分離剤のサイクロフラクタンが、さらに誘導体化される（１１）項の方法。
【００３０】
（１３）項：天然又は誘導体化サイクロフラクタンを架橋有機高分子に固定する工程が、以下の工程を含む（１１）項の方法：
ａ）官能基含有架橋有機高分子を製造する工程；及び、
ｂ）官能基含有架橋有機高分子と、天然又は誘導体化サイクロフラクタンのヒドロキシ基とを反応させ、天然又は誘導体化サイクロフラクタンを架橋有機高分子に固定する工程。
【００３１】
（１４）項：天然又は誘導体化サイクロフラクタンのヒドロキシ基をさらに活性化し、架橋有機高分子の官能基と反応する（１３）項の方法。
【００３２】
（１５）項：活性化基が、クロロホルメート基、活性カーボネート基、アルキン基、ｐ−トルエンスルホナート基、ｐ−ニトロフェノキシカルボニル基及びイソシアネート基から成る群から選択される（１４）項の方法。
【００３３】
（１６）項：官能基が、エポキシ基、ハロ基、カルボキシ基、アミノ基、ヒドロキシ基、クロロホルメート基、ｐ−ニトロフェノキシカルボニル基、イソシアネート基、クロロカルボニル基、アジド基から成る群から選択される（１３）項の方法。
【００３４】
（１７）項：官能基含有架橋有機高分子が、（メタ）アクリルモノマー、グリシジルメタクリレート、スチレンモノマー又はエチルスチレンと架橋性モノマーとの懸濁重合の生成物である（１３）項の方法。
【００３５】
（１８）項：架橋性モノマーがジビニルベンゼンである（１７）項の方法。
【００３６】
（１９）項：官能基含有架橋有機高分子が、架橋有機高分子のカルボキシ基と塩化チオニルとの反応によって製造される（１６）項の方法。
【００３７】
（２０）項：官能基含有架橋有機高分子が、架橋有機高分子のヒドロキシ基又はアミノ基とジイソシアネート又はイソシアネート試薬との反応によって製造される（１６）項の方法。
【００３８】
（２１）項：官能基含有架橋有機高分子が、架橋有機高分子のヒドロキシ基とｐ−ニトロフェニルクロロホルメート基との反応によって製造される（１６）項の方法。
【００３９】
（２２）項：天然又は誘導体化サイクロフラクタン含有モノマーの重合が、１つ以上の架橋性モノマーの存在下で成される（１１）項の方法。
【００４０】
（２３）項：架橋性モノマーがエチレングリコールジメタクリレートである（２２）項の方法。
【００４１】
（２４）項：以下から成る群から選択される（１）項のクロマトグラフィー用分離剤：
【００４２】
【化３】
2014029313.tif 000004
【００４３】
【化４】
2014029313.tif 000005
【００４４】
【化５】
2014029313.tif 000006
【００４５】
（式中、「ｐｏｌｙｍｅｒ」は架橋有機高分子を表し、ＣＦｓは６、７又は８個のフラクトース部分を有するサイクロフラクタン表す。）
【００４６】
理論に束縛されるものではないが、本発明の原理にしたがって式（Ｉ）の化合物に共有結合した架橋有機高分子を製造し、適切な分離剤を提供できると考えられる。このセクションでは、本発明のクロマトグラフィー用分離剤が、特にＨＩＬＩＣ分離及び鏡像異性体分離において、非常に優れた性能を有すると推測された理由について記載する。
【００４７】
一般的に、分離剤の親水性度が高くなると、ＨＩＬＩＣ分離性能がより良くなる。米国特許出願公開第２０１１／００２４２９２号明細書に開示されるような標準的なシリカ系の材料は、表面にアルキル基及び／又はシラノール基を有する。一方、本発明の化合物は、アルキル基に加えて様々な種類の官能基を与える。これは、高分子材料に設計された官能基を導入することによって、ＨＩＬＩＣ分離性能を制御することを提案するものであり、以前は可能ではなかったＨＩＬＩＣ分離性能の制御を本質的に可能とするものである。
【００４８】
一般的に鏡像異性体分離は、天然又は誘導体化サイクロフラクタン等のキラル選択剤とキラル化合物間の相互作用に依存する。水素結合相互作用が不可欠であると考えられている。標準的なキラル分離剤は、米国特許出願公開第２０１１／００２４２９２号明細書に開示されるような無機のシリカゲルに共有結合したキラル選択剤を含むキラル選択剤から成る。シリカは、分離する化合物とキラル選択剤間の水素結合を妨げうるシラノール基を含む。一方、本発明の式（Ｉ）の化合物であるサイクロフラクタンと結合した架橋有機高分子は、サイクロフラクタンへの結合を改良するために有機高分子の官能基を容易に変更できるので、魅力的な代替手段を提供するが、シリカにはこのような柔軟性がない。さらにこの簡単な変更は、表面の官能基を設計してキラル選択剤の特性を高めることを可能にする。
【図面の簡単な説明】
【００４９】
【図１】図１は、サイクロフラクタン６（ＣＦ６）の基本構造を示す。
【図２】図２は、本発明の分離剤を用いたＲ／Ｓ−１−（１−ナフチル）エチルアミンの分離を示す。
【図３】図３は、本発明の分離剤を用いた５つのヌクレオシドのＨＩＬＩＣ分離を示す。
【図４】図４は、本発明の分離剤を用いた６つのマルトシドのＨＩＬＩＣ分離を示す。
【図５】図５は、本発明の分離剤を用いたＣＦ６〜８のＨＩＬＩＣ分離を示す。
【図６】図６は、シリカゲルに結合したサイクロフラクタンを用いたＣＦ６〜８のＨＩＬＩＣ分離を示す。
【図７】図７は、サイクロフラクタンと架橋有機高分子間の別のリンカーを示す。
【図８】図８は、サイクロフラクタンと架橋有機高分子間の別のリンカーを示す。
【図９】図９は、サイクロフラクタンと架橋有機高分子間の別のリンカーを示す。
【図１０】図１０は、サイクロフラクタンと架橋有機高分子間の別のリンカーを示す。
【図１１】図１１は、サイクロフラクタンと架橋有機高分子間の別のリンカーを示す。
【図１２】図１２は、サイクロフラクタンと架橋有機高分子間の別のリンカーを示す。
【図１３】図１３は、サイクロフラクタンと架橋有機高分子間の別のリンカーを示す。
【図１４】図１４は、サイクロフラクタンと架橋有機高分子間の別のリンカーを示す。
【図１５】図１５は、サイクロフラクタンと架橋有機高分子間の別のリンカーを示す。
【図１６】図１６は、実施例１−１〜１−４，２−１及び２−２で製造された本発明の分離剤を示す。
【図１７】図１７は、実施例１−１〜１−４，２−１及び２−２で製造された本発明の分離剤を示す。
【図１８】図１８は、実施例１−１〜１−４，２−１及び２−２で製造された本発明の分離剤を示す。
【図１９】図１９は、実施例１−１〜１−４，２−１及び２−２で製造された本発明の分離剤を示す。
【図２０】図２０は、実施例１−１〜１−４，２−１及び２−２で製造された本発明の分離剤を示す。
【図２１】図２１は、実施例１−１〜１−４，２−１及び２−２で製造された本発明の分離剤を示す。
【発明を実施するための形態】
【００５０】
サイクロフラクタン及びその誘導体
本発明の実施態様は、式（Ｉ）のサイクロフラクタン及びその誘導体を含む：
【００５１】
【化６】
2014029313.tif 000007
【００５２】
（式中、
ｎは、１〜３を表し；
Ｌは、それぞれ互いに独立して、ＯＲ、ＣＲ３、ＮＲ２Ｒ、Ｏ−Ｃ（＝Ｏ）−Ｒ、Ｏ−Ｃ（＝Ｏ）−ＮＲ２−Ｒ、ＮＲ３Ｃ（＝Ｏ）−ＮＲ２Ｒ、又は、Ｒで置換された
【００５３】
【化７】
2014029313.tif 000008
【００５４】
を表し；
Ｒは、それぞれ互いに独立して、
Ｈ、
メチル基、エチル基、ｎ−プロピル基、イソプロピル基、ｎ−ブチル基、ｔ−ブチル基、シクロヘキシル基、フェニル基、トリル基、キシリル基、クロロ基、ブロモ基、ヨード基、トリクロロメチル基、トリクロロフェニル基、クロロフェニル基、ブロモフェニル基、ヨードフェニル基、ヒドロキシエチル基、ヒドロキシプロピル基、ジクロロフェニル基、ベンジル基、クロロトリル基、ナフチルエチル基、ニトロフェニル基、ジニトロフェニル基、トリニトロフェニル基、トリフルオロメチル基、ジニトロ基、３，５−ジメチルフェニル基もしくはアダマンチル基、
任意に１〜３のＲ１で置換された（Ｃ１〜Ｃ２０）アルキル基、
任意に１〜３のＲ１で置換された（Ｃ３〜Ｃ２０）シクロアルキル基、
任意に１〜３のＲ１で置換された（Ｃ５〜Ｃ５０）アリール基、
任意に１〜３のＲ１で置換されたヘテロアリール基、
（Ｃ１〜Ｃ２０）アルコキシ（Ｃ１〜Ｃ２０）アルキル基，
Ｈ２Ｃ＝ＣＨ−（ＬがＯ−Ｃ（＝Ｏ）−Ｒのとき）、
Ｈ２Ｃ＝Ｃ（ＣＨ３）−（ＬがＯ−Ｃ（＝Ｏ）−Ｒのとき）、
アルキレニル−Ｎ＝Ｃ＝Ｏ、
アリーレニル−Ｎ＝Ｃ＝Ｏ、
−ＳＯ２Ｒ５（ＬがＯＲのとき）、
＝ＳＯ３（ＬがＯＲのとき）、
任意に１〜３のＲ１で置換された（Ｃ５〜Ｃ５０）アリール（Ｃ１〜Ｃ２０）アルキル基、又は、ヒドロキシ基を有さない糖残基（ＬはＯＲを表す）を表し；
Ｒ１は、互いに独立して、任意に１〜３のＲ６で置換された（Ｃ１〜Ｃ１０）アルキル基、ハロ基、ヒドロキシ基、−ＮＲ３Ｒ４、−ＣＯＯＲ２、−ＣＯＲ２、ニトロ基、トリハロアルキル基、又は、−Ｓｉ（ＯＲ２）３を表し；
Ｒ２は、互いに独立して、Ｈ、又は、（Ｃ１〜Ｃ１０）アルキル基を表し；
Ｒ３は、互いに独立して、Ｈ、又は、（Ｃ１〜Ｃ１０）アルキル基を表し；
Ｒ４は、互いに独立して、Ｈ、又は、（Ｃ１〜Ｃ１０）アルキル基を表し；
Ｒ５は、互いに独立して、任意に１〜３のＲ１で置換された（Ｃ１〜Ｃ２０）アルキル基、任意に１〜３のＲ１で置換された（Ｃ５〜Ｃ５０）アリール基、又は、任意に１〜３のＲ１で置換されたヘテロアリール基を表し；及び、
Ｒ６は、互いに独立して、ハロ基、ヒドロキシ基、−ＮＲ３Ｒ４、−ＣＯＯＲ２、−ＣＯＲ２、ニトロ基、トリハロアルキル基、又は、−Ｓｉ（ＯＲ２）３を表す。）
【００５５】
式（Ｉ）の化合物を含む本発明のいくつかの実施態様では、式（Ｉ）の化合物の１つ以上のＬ基がＯＲ基である。その場合、Ｏは２価部分であり、本明細書に記載されるようにＣＦとＲ基に結合する。本発明の別の実施態様では、１つ以上のＬ基がＣＲ３である。その場合、ＣＲ３は２価部分であり、本明細書に記載されるようにＣＦとＲ基に結合する。いくつかの実施態様では、１つ以上のＬ基がＮＲ２である。その場合、ＮＲ２は２価部分であり、本明細書に記載されるようにＣＦとＲ基に結合する。本発明の別の実施態様では、１つ以上のＬ基がＯ-Ｃ（＝Ｏ）Ｒである。その場合、Ｏ-Ｃ（＝Ｏ）は２価部分であり、本明細書に記載されるようにＣＦとＲ基に結合する。本発明のさらに別の実施態様では、１つ以上のＬ基がＯ-Ｃ（＝Ｏ）-ＮＲ２Ｒである。その場合、Ｏ-Ｃ（＝Ｏ）-ＮＲ２は２価部分であり、本明細書に記載されるようにＣＦとＲ基に結合する。本発明のいくつかの実施態様では、１つ以上のＬ基がＮＲ３Ｃ（＝Ｏ）−ＮＲ２Ｒである。その場合、ＮＲ３Ｃ（＝Ｏ）−ＮＲ２は２価部分であり、本明細書に記載されるようにＣＦとＲ基に結合する。本発明の別の実施態様では、１つ以上のＬ基がアジドとアルキン間の１，３−双極子付加環化反応（クリックケミストリー）の付加環化生成物である。その場合、付加環化生成物は２価部分であり、本明細書に記載されるようにＣＦとＲ基に結合する。式（Ｉ）の化合物を含む本発明のいくつかの実施態様では、ｎは１である。別の実施態様では、ｎは２である。さらに別の実施態様では、ｎは３である。
【００５６】
式（Ｉ）の化合物を含む本発明のいくつかの実施態様では、Ｌの少なくとも１つはＯＲである。別の実施態様では、Ｌの少なくとも１つはＯ−Ｃ（＝Ｏ）Ｒである。さらに別の実施態様では、Ｌの少なくとも１つはＯ−Ｃ（＝Ｏ）−ＮＲ２Ｒである。いくつかの実施態様では、Ｌの少なくとも１つはＮＲ３Ｃ（＝Ｏ）−ＮＲ２Ｒである。式（Ｉ）の化合物を含む本発明のいくつかの実施態様では、Ｒは、それぞれ互いに独立して、Ｈ、メチル基、エチル基、ｎ−プロピル基、イソプロピル基、ｎ−ブチル基、ｔ−ブチル基、シクロヘキシル基、フェニル基、トリル基、トリクロロフェニル基、クロロフェニル基、ブロモフェニル基、ヨードフェニル基、ヒドロキシエチル基、ヒドロキシプロピル基、ジクロロフェニル基、ベンジル基、クロロトリル基、ナフチルエチル基、ニトロフェニル基、ジニトロフェニル基、トリニトロフェニル基、トリフルオロメチル基、ジニトロ基、３，５−ジメチルフェニル基又はアダマンチル基である。別の実施態様では、Ｒは、それぞれ互いに独立して、イソプロピル基、ｔｅｒｔ−ブチル基、キシリル基、ジクロロフェニル基、３，５−ジメチルフェニル基又はナフチルエチル基である。
【００５７】
式（Ｉ）の化合物を含む本発明のいくつかの実施態様では、Ｒは、それぞれ互いに独立して、ヒドロキシプロピル基、ヒドロキシエチル基、メチル基、トリクロロメチル基、トリフルオロメチル基、クロロ基、ブロモ基又はヨード基である。
【００５８】
サイクロフラクタンは、β（２→１）結合した６つ以上のＤ−フルクトフラノース単位から成るシクロイヌロオリゴ糖を意味する。
【００５９】
本明細書に使用される、誘導体化サイクロフラクタン（ｄｅｒｉｖａｔｉｚｅｄ  ｃｙｃｌｏｆｒｕｃｔａｎ）、誘導体化サイクロフラクタン（ｄｅｒｉｖａｔｉｚｅｄ−ｃｙｃｌｏｆｒｕｃｔａｎ）又は官能基化サイクロフラクタンは、１つ以上のヒドロキシ基が別の官能基に置換されたサイクロフラクタンを意味する。通常、本発明の誘導体化又は官能基化サイクロフラクタン６（ＣＦ６）では、２〜１８のヒドロキシ基が別の官能基と置換されている。本発明の誘導体化又は官能基化サイクロフラクタン７（ＣＦ７）では、２〜２１のヒドロキシ基が別の官能基と置換されている。通常、本発明の誘導体化又は官能基化サイクロフラクタン８（ＣＦ８）では、２〜２４のヒドロキシ基が別の官能基と置換されている。非誘導体化サイクロフラクタン又は天然サイクロフラクタンは、ヒドロキシ基が別の官能基に全く置換されていないサイクロフラクタンを意味する。
【００６０】
本明細書に使用される「アルキル基」は、１〜約２０個の炭素原子、好ましくは１〜約１０個の炭素原子、より好ましくは１〜約６個の炭素原子、そしてさらに好ましくは１〜約４個の炭素原子の脂肪族炭化水素鎖を意味し、メチル基、エチル基、ｎ−プロピル基、イソプロピル基、ｎ−ブチル基、イソブチル基、ｓｅｃ−ブチル基、ｔ−ブチル基、ｎ−ペンチル基、イソペンチル基、ネオペンチル基、ｎ−ヘキシル基及びイソヘキシル基等の直鎖及び分岐鎖を含む。「低級アルキル基」は、１〜約４個の炭素原子を有するアルキル基を意味し、「アルキル基」は本明細書に定義されたとおりである。
【００６１】
本明細書に使用される「アルキレニル基」は２価のアルキル基を意味し、「アルキル基」は本明細書に定義されたとおりである。
【００６２】
本明細書に使用される「アリーレニル基」は２価のアリール基を意味し、「アリール基」は本明細書に定義されたとおりである。
【００６３】
本明細書に使用される「アリール基」は、約５〜約５０個の炭素原子、好ましくは約６〜約１０個の炭素原子（またその範囲及び特定の炭素原子数のすべての組み合わせ及び部分的組み合わせ）を有する、任意に置換された、モノ−、ジ−、トリ−、その他の多環式芳香族環を意味する。非限定的な例として、例えばフェニル基、ナフチル基、アントラセニル基、フェナントレニル基及び３，５−ジメチルフェニル基を挙げることができる。本明細書に定義されるように、アリール基は、１つ以上のＲ１で任意に置換されてもよい。
【００６４】
本明細書に使用される「ヘテロアリール基」は、少なくとも１つ、好ましくは１〜４個の硫黄、酸素又は窒素の環員ヘテロ原子を有する、任意に置換された、モノ−、ジ−、トリ−、その他の複素環を含む多環式芳香族環を意味する。ヘテロアリール基は、例えば約３〜約５０の炭素原子、好ましくは約４〜約１０個の炭素原子（またその範囲及び特定の炭素原子数のすべての組み合わせ及び部分的組み合わせ）を有することができる。ヘテロアリール基の非限定的な例として、例えば、ピリル基、フリル基、ピリジル基、１，２，４−チアジアゾリル基、ピリミジル基、チエニル基、イソチアゾリル基、イミダゾリル基、テトラゾリル基、ピラジニル基、ピリミジル基、キノリル基、イソキノリル基、チオフェニル基、ベンゾチエニル基、イソベンゾフリル基、ピラゾリル基、インドリル基、プリニル基、カルバゾリル基、ベンズイミダゾリル基及びイソオキサゾリル基を挙げることができる。本明細書に定義されるように、ヘテロアリール基は、１つ以上のＲ１で任意に置換されてもよい。
【００６５】
本明細書に使用される「複素環」は、飽和、部分不飽和又は不飽和（芳香族）の、安定した５〜７員の一環式もしくは二環式、又は、７〜１０員の二環式の複素環を意味し、炭素原子と、Ｎ、Ｏ及びＳから成る群より独立して選択される１〜４個のヘテロ原子を有し、上に定義した複素環のいずれかがベンゼン環と縮合した二環式基を含む。窒素と硫黄のヘテロ原子は任意に酸化されていてもよい。複素環は、安定した構造をもたらすその付属基に、任意のヘテロ原子又は炭素原子で結合していてもよい。本明細書に記載された複素環は、得られる化合物が安定ならば、炭素原子又は窒素原子が置換されていてもよい。具体的に示すならば、複素環の窒素原子は、任意に四級化されていてもよい。複素環のＳとＯ原子の総数が１を超えるときは、これらのヘテロ原子が互いに隣接しないことが好ましい。複素環のＳとＯ原子の総数は１つ以上でないことが好ましい。複素環の例としては、これには限定されないが、ｌＨ−インダゾール、２−ピロリドニル、２Ｈ，６Ｈ−ｌ，５，２−ジチアジニル、２Ｈ−ピロリル、３Ｈ−インドリル、４−ピペリドニル、４ａＨ−カルバゾール、４Ｈ−キノリジニル、６Ｈ−ｌ，２，５−チアジアジニル、アクリジニル、アゾシニル、ベンズイミダゾリル、ベンゾフラニル、ベンゾチオフラニル、ベンゾチオフェニル、ベンゾオキサゾリル、ベンズチアゾリル、ベンズトリアゾリル、ベンズテトラゾリル、ベンズイソオキサゾリル、ベンズイソチアゾリル、ベンズイミダザロニル、カルバゾリル、４Ｈ−カルバゾリル、α−、β−もしくはγ−カルボリニル、クロマニル、クロメニル、シンノリニル、デカヒドロキノリニル、２Ｈ，６Ｈ−１，５，２−ジチアジニル、ジヒドロフロ［２，３−ｂ］テトラヒドロフラン、フラニル、フラザニル、イミダゾリジニル、イミダゾリニル、イミダゾリル、１Ｈ−インダゾリル、インドレニル、インドリニル、インドリジニル、インドリル、イソベンゾフラニル、イソクロマニル、イソインダゾリル、イソインドリニル、イソインドリル、イソキノリニル、イソチアゾリル、イソオキサゾリル、モルホリニル、ナフチリジニル、オクタヒドロイソキノリニル、オキサジアゾリル、１，２，３−オキサジアゾリル、１，２，４−オキサジアゾリル、１，２，５−オキサジアゾリル、１，３，４−オキサジア  トリアゾリル、１，３，４−トリアゾリル、キサンテニルを挙げることができる。好ましい複素環の例としては、これには限定されないが、ピリジニル、フラニル、チエニル、ピロリル、ピラゾリル、イミダゾリル、インドリル、ベンズイミダゾリル、ｌＨ−インダゾリル、オキサゾリジニル、ベンゾトリアゾリル、ベンズイソオキサゾリル、オキシインドリル、ベンゾキサゾリニル又はイサチノイルを挙げることができる。例えば、上記の複素環を含有する縮合環及びスピロ化合物もまた含まれる。
【００６６】
本明細書に使用される「シクロアルキル基」は、３〜約２０の炭素原子、好ましくは３〜約１０個の炭素原子（またその範囲及び特定の炭素原子数のすべての組み合わせ及び部分的組み合わせ）を有する、その構造に１以上の環を有する、任意に置換されたアルキル基を意味する。多重環構造は、架橋又は縮合した環状構造であってもよい。基としては、これには限定されないが、シクロプロピル基、シクロブチル基、シクロペンチル基、シクロヘキシル基、シクロオクチル基、２−［４−イソプロピル−１−メチル−７−オキサ−ビシクロ［２．２．１］ヘプタニル］、２−［ｌ，２，３，４−テトラヒドロ−ナフタレニル］及びアダマンチル基を挙げることができる。本明細書に定義されるように、シクロアルキル基は、１つ以上のＲ１で任意に置換されてもよい。
【００６７】
本明細書に使用される「ハロ」又は「ハロゲン」は、クロロ、ブロモ、フロロ又はヨード及び塩素、臭素、フッ素又はヨウ素を意味する。
【００６８】
本明細書に使用される「糖残基」は、単糖、二糖、オリゴ糖もしくは多糖又は単糖、二糖、オリゴ糖もしくは多糖を含む化合物を意味し、糖残基の１つ以上のヒドロキシ基は、任意に別の官能基と置換することができる。
【００６９】
架橋有機高分子
本発明の架橋有機高分子は、好ましくはスチレン系及び／又は（メタ）アクリル系高分子である。スチレン系高分子は、モノビニル芳香族モノマーと本明細書に記載の架橋性モノマーとの重合生成物を意味する。（メタ）アクリル系共重合体もまた、（メタ）アクリルモノマーと本明細書に記載の架橋性モノマーとの重合物である。用語「（メタ）アクリルモノマー」は、アクリルモノマー及び／又はタクリルモノマーを意味する。
【００７０】
架橋有機高分子は、無機の担体ではない。より具体的には、本発明の架橋有機高分子は、シリカ、アルミナ、マグネシア、ガラス、カオリン、酸化チタン、ケイ酸塩又はヒドロキシアパタイト担体／担体材料ではない。
【００７１】
本明細書に記載のモノビニル芳香族モノマーとしては、これには限定されないが、スチレン；ヒドロキシスチレン；ブロモスチレン、ｐ／ｍ−クロロスチレン等のハロゲン化スチレン；メチルスチレン、エチルスチレン及びｐ−メチル−α−メチルスチレン等のアルキル置換スチレン；並びにナフチルスチレン及びフェニルスチレン等のシクロアルキルスチレンを挙げることができる。他に、クロロメチルスチレンやブロモメチルスチレン等のハロゲンで任意に置換されたアルキルスチレン；ｍ／ｐ−ｔｅｒｔ−ブトキシスチレン、ｐ−メトキシスチレン及びｐ−ビニル安息香酸等のアルコキシルで任意に置換されたアルキルスチレンを挙げることができる。１つ以上のこれらのモノマーを重合に使用できるが、適切なクロマトグラフィー性能を示すスチレン及びエチルスチレンが特に好ましい。
【００７２】
本明細書に記載の（メタ）アクリルモノマーとしては、これには限定されないが、（メタ）アクリレート；メチル（メタ）アクリレート、エチル（メタ）アクリレート、ｎ−プロピル（メタ）アクリレート、イソプロピル（メタ）アクリレート、イソブチル（メタ）アクリレート、ｔ−ブチル（メタ）アクリレート及びｎ−ブチル（メタ）アクリレート等のアルキル（メタ）アクリレート；ヒドロキシエチル（メタ）アクリレート；ヒドロキシプロピル（メタ）アクリレート；ブチル（メタ）アクリレート；ベンジル（メタ）アクリレート；アリル（メタ）アクリレート；ラウリル（メタ）アクリレート；２−エチルヘキシル（メタ）アクリレート；シクロヘキシル（メタ）アクリレート；メトキシエチル（メタ）アクリレート；エトキシエチル（メタ）アクリレート；ブトキシエチル（メタ）アクリレート；グリシジル（メタ）アクリレート；グリコールモノ（メタ）アクリレート；ステアリル（メタ）アクリレート；トリデシル（メタ）アクリレート；メトキシエチル（メタ）アクリレート；エトキシエチル（メタ）アクリレート；ブトキシエチル（メタ）アクリレート；メトキシポリエチレングリコール（メタ）アクリレート；２−ヒドロキシエチル（メタ）アクリレート；２−ヒドロキシプロピル（メタ）アクリレート；２−ヒドロキシ−３−クロロプロピル（メタ）アクリレート；テトラヒドロフルフリル（メタ）アクリレート；ジメチルアミノエチルメチルクロライド（メタ）アクリレート；ジメチルアミノエチル（メタ）アクリレート；ジエチルアミノエチル（メタ）アクリレート；２−クロロエチル（メタ）アクリレート；２，３−ジブロモプロピル（メタ）アクリレート；トリブロモフェニル（メタ）アクリレート；オレイル（メタ）アクリレート；ポリエチレングリコール  ジ（メタ）アクリレート、１，３−ブチレングリコール  ジ（メタ）アクリレート；ヘキサングリコール  ジ（メタ）アクリレート；ネオペンチルグリコール  ジ（メタ）アクリレート；ジプロピレングリコール  ジ（メタ）アクリレート；トリメチロールプロパン  トリ（メタ）アクリレート、テトラメチロールメタン  トリ（メタ）アクリレート；２−メチル−３−スルホプロピル（メタ）アクリルアミド；ジメチル（メタ）アクリルアミド及びヒドロキシエチル（メタ）アクリルアミド等のアミドに置換された（メタ）アクリルアミド；（メタ）アクリロニトリル等のニトリルで置換された（メタ）アクリレート；並びにグリシドール（メタ）アクリレート、エポキシブチル（メタ）アクリレート及びエポキシステアリル（メタ）アクリレート等のエポキシで置換された（メタ）アクリレートを挙げることができる。
【００７３】
本明細書に記載の架橋性モノマーは、ジビニルベンゼン、トリビニルベンゼン、ジビニルトルエン、ジビニルナフタレン、ジビニルキシレン、ジビニルビフェニル、ビス（ビニルフェニル）メタン、ビス（ビニルフェニル）エタン、ビス（ビニルフェニル）プロパン及びビス（ビニルフェニル）ブタン等の芳香族ビニルモノマー；ポリメチレングリコール  ジ（メタ）アクリレート、ポリエチレングリコール  ジ（メタ）アクリレート、エチレングリコール  ジ（メタ）アクリレート、テトラエチレングリコール  ジ（メタ）アクリレート及びトリエチレングリコール  ジ（メタ）アクリレート等のアルキレングリコール  ジ（メタ）アクリレート；アルキレン（メタ）アクリレート；Ｎ、Ｎ’−アルキレンビス（メタ）アクリルアミド；トリメチロール  プロパントリ（メタ）アクリレート等の多価（メタ）アクリル酸化合物；並びにトリアリルイソシアヌレート及びジアリルフタレート等の多価アリル化合物とすることができる。これらの架橋性モノマーの１つ以上を使用できる。特に、ジビニルベンゼンとエチレングリコールメタクリレートが好ましい。
【００７４】
架橋度
用語「架橋度」は、モノビニル芳香族モノマー、（メタ）アクリルモノマー及び架橋性モノマーの総重量に対する架橋性モノマー重量の百分率割合を意味する。
【００７５】
本発明では、有機高分子は、好ましくは、１０ｗｔ％を超える架橋度を有する。架橋度の上限はないが、通常９０ｗｔ％未満である。２５〜７０ｗｔ％の架橋度が、より好ましい。架橋度が下限値を超えていると、細孔径、比表面積及び細孔容積等の粒子の性質が、より安定する傾向にある。このことは、高速の移動相や高分子粒子の変形がないなどの難しい環境におけるクロマトグラフィー測定の実施を可能にする。
【００７６】
平均細孔径
本発明において、架橋有機高分子は、好ましくは多孔性の架橋有機高分子である。架橋有機高分子の孔の平均細孔径は、好ましくは２〜３００ｎｍ、より好ましくは５〜２５０ｎｍである。平均細孔径が上記の下限値より大きいときは、測定の間、検体の流速を上昇させてより高い生産性に導くことができる。細孔径が上記の上限値より小さいときは、高分子粒子の機械的強度が高まる。このことは、クロマト分離用の高分子が早い流速に耐えることを可能にする。平均細孔径は、これには限定されないが、吸着によって測定できる：水銀ポロシメトリー（Ａｕｔｏｐｏｒｅ−ＩＶ  ９５２０、島津製作所）及び／又は、Ｍｉｃｒｏｍｅｒｉｔｉｃｓ吸着分析機（ｍｏｄｅｌ  ＡＳＡＰ−２４００）等の機器を用いたＢＥＴ多点式窒素吸着法。
【００７７】
細孔容積
本発明において、架橋有機高分子は、好ましくは０．１〜３．０ｍｌ／ｇ、より好ましくは０．３〜２．０ｍｌ／ｇの細孔容積を有する。細孔容積が上記の下限値よりも大きいときは、測定時、検体の流速を上昇させてより高い生産性を導くことができる。細孔容積が上記の上限値よりも小さいときは、高分子粒子の機械的強度が高まるので、測定時、高分子が早い流速に耐えるように導くと考えられる。
【００７８】
細孔容積は、これには限定されないが、吸着によって測定できる：水銀ポロシメトリー（Ａｕｔｏｐｏｒｅ−ＩＶ  ９５２０、島津製作所）及び／又は、Ｍｉｃｒｏｍｅｒｉｔｉｃｓ吸着分析機（ｍｏｄｅｌ  ＡＳＡＰ−２４００）等の機器を用いたＢＥＴ多点式窒素吸着法。
【００７９】
比表面積
本発明において、架橋有機高分子は、通常１０〜１２００ｍ２／ｇ、好ましくは３０〜１０００ｍ２／ｇの比表面積を有する。比表面積が上記の下限値よりも大きいときは、測定の間、検体の流速を上昇させてより高い生産性に導くことができる。比表面積が上記の上限値よりも小さいときは、高分子粒子の機械的強度が高まるので、測定時、高分子が早い流速に耐えるように導くと考えられる。
【００８０】
比表面積は、これには限定されないが、Ｍｉｃｒｏｍｅｒｉｔｉｃｓ吸着分析機（ｍｏｄｅｌ  ＦｌｏｗＳｏｒｂ  ＩＩＩ  ２３０５／２３１０）等の機器を用いたＢＥＴ一点式窒素吸着法によって測定できる。
【００８１】
平均粒子径
本発明では、架橋有機高分子は、通常、好ましくは１〜１０００μｍ、より好ましくは５〜５００μｍの平均粒子径を有する。平均粒子径が上記の最小値を超えるときは充填工程がより容易になる。さらに流速を犠牲にすることなく、一定の流速の移動相で、グラジエント溶出法を用いたクロマトグラフィー測定を可能にする。平均粒子径が上記の上限値未満のときは、分離効率がより向上する。
【００８２】
平均粒子径が５００μｍよりも大きい場合、サイズの測定に顕微鏡を使用できる。平均粒子径が２〜５００μｍの場合、電気的検知帯法（Ｍｕｌｔｉｓｉｚｅｒ  ３Ｃｏｕｌｔｅｒ  Ｃｏｕｎｔｅｒ，Ｂｅｃｋｍａｎ  Ｃｏｕｌｔｅｒ）による高画質３Ｄセジメントサイズジングを使用できる。
【００８３】
これには限定されないが、公知のエマルジョン重合法、懸濁重合及び／又は溶液重合法により、スチレン系高分子を目的としてモノビニル芳香族モノマーと本明細書に記載された架橋性モノマーの重合が行われ、（メタ）アクリル系高分子を目的として（メタ）アクリルモノマーと本明細書に記載された架橋性モノマーの重合が行われる。その例としては、特開平６−２６２０７０号公報、特開昭６４−５４００４号公報、特開昭５８−５８０２６号公報及び特開昭５３−９０９１１号公報がある。本明細書中で限定された架橋度を維持するために、好ましくは、架橋性モノマーの重量はモノマーの総重量の１０％以上であり、より好ましくは２５〜７０％であり、上限はない。平均細孔径、比表面積及び細孔容積等の特性は、これには限定されないが、様々な方法で制御できる。制御可能な可変のものとしては、これには限定さればいが、モノマーの化学構造、モノマーと架橋性モノマーの重量百分率、重合反応において共存する有機溶媒の量及び重合開始剤の種類が挙げられる。
【００８４】
クロマトグラフィー用分離剤の製造
さまざまな方法で本発明のクロマトグラフィー用分離剤を製造することができる。そのような剤の製造には、これには限定されないが、２つの方法が含まれる：（ｉ）架橋有機高分子への天然又は誘導体化サイクロフラクタンの固定、及び、（ｉｉ）天然又は誘導体化サイクロフラクタンを含むモノマーの重合。
【００８５】
固定方法は、様々な方法で行うことができる。本発明のいくつかの実施態様では、本発明のクロマトグラフィー用分離剤は、本明細書に記載された架橋有機高分子に天然のサイクロフラクタンが固定されるか又は共有結合することによって製造される。本発明のいくつかの実施態様では、誘導体化サイクロフラクタンを有するクロマトグラフィー用分離剤は、天然サイクロフラクタンを本明細書に記載した架橋有機高分子に固定し、次に、本明細書に記載するように天然サイクロフラクタンを誘導体化することにより製造される。本発明の別の実施態様では、クロマトグラフィー用分離剤は、本明細書に記載するように、まずサイクロフラクタンを部分的に誘導体化し、ついで該部分誘導体化サイクロフラクタンを本明細書に記載した架橋有機高分子に結合する。本発明のいくつかの実施態様では、部分誘導体化サイクロフラクタンが架橋有機高分子に結合した後、それは完全に誘導体化するためにさらに誘導体化される。本発明の別の実施態様では、部分誘導体化サイクロフラクタンが架橋有機高分子に結合した後、不均質に誘導体化されたサイクロフラクタンを提供するために、別の基を官能基化する。固定を介した本発明のクロマトグラフィー用分離剤を製造するためのいくつかの手順が、説明のために本明細書に提示される。しかしながら、当業者は、同様の手順でその分離剤が製造できることを理解するであろう。
【００８６】
有機シランは、式（Ｉ）の化合物と本発明の架橋有機高分子の間で有効な又は安定したリンカーとして機能しないので、式（Ｉ）の化合物と本発明の架橋有機高分子の間のリンカーは有機シランでない。
【００８７】
式（Ｉ）（ＣＦ）の化合物と架橋有機高分子（高分子）の間の適切な化学結合は以下の反応の少なくとも１つである：
（１）高分子のエポキシ基とＣＦのヒドロキシ基がエーテルリンカーを形成する。
（２）高分子のハロ基とＣＦのヒドロキシ基がエーテルリンカーを形成する。
（３）高分子のカルボキシ基とＣＦのヒドロキシ基がエステルリンカーを形成する。
（４）高分子のカルボキシル基又はスルホニル基とＣＦのヒドロキシ基がエステルリンカーを形成する。
（５）高分子のヒドロキシ基又はアミノ基と、ＣＦのヒドロキシ基が、ジイソシアネートを用いてカルバメートリンカーを形成する
（６）高分子のアミノ基とＣＦのヒドロキシ基がアミノリンカーを形成する。
（７）高分子のエポキシ基とトシル化ＣＦがアミノリンカーを形成する。
（８）高分子のアミノ基とトシル化ＣＦがアミノリンカーを形成する。
（１０）高分子のアジド基とＣＦのアルキン基が１，２，３−トリアゾールリンカーを形成する。
（１１）高分子のアルキン基とＣＦのアジド基が１，２，３−トリアゾールリンカーを形成する。
【００８８】
エーテルリンカーを介した固定
本発明のいくつかの実施態様では、エーテルリンカーを有する式（Ｉ）の化合物のクロマトグラフィー用分離剤が記載されている。合成には、これには限定されないが、架橋有機高分子のエポキシ基と、サイクロフラクタンのヒドロキシ基の反応が含まれる。エポキシ基を有する高分子は、これには限定されないが、本明細書に記載された方法の（メタ）アクリルモノマー、グリシジルメタクリレート、スチレンモノマー、エチルスチレンと、架橋性モノマー、ジビニルベンゼンの公知の懸濁重合の生成物を含む。また高分子は固定の前に、エポキシ基を用いて官能基化できる。エポキシ基を有する高分子を使用して、固定には、これには限定されないが、水酸化ナトリウム、硫酸、塩酸塩及び／又は塩化アルミニウム等の１以上の触媒の存在下で、２５〜１５０℃で１〜２４時間、エポキシ基の環を開いてサイクロフラクタンと結合させることが含まれる。最終生成物は、濾過の後に回収し、洗浄して真空内で乾燥する。天然のサイクロフラクタンを化学的に結合するための手順は、様々なサイクロフラクタンの誘導体を結合する手順と本質的に同じである。図７はＣＦと、架橋有機高分子の間の第一のエーテルリンカーを示す。
【００８９】
別の合成は、これには限定されないが、架橋有機高分子のハロ基とサイクロフラクタンの反応を含む。この固定に、２５〜１２０℃で１〜２４時間、使用する試薬としては、水酸化ナトリウム又は水素化ナトリウム等を含む。架橋高分子は、本明細書に記載された方法のように、スチレンモノマー、スチレンと、架橋性モノマー、ジビニルベンゼンの懸濁重合、クロロメチル化により製造できる。トルエン又はジメチルホルムアミドは、サイクロフラクタンとハロ−高分子の固定に使用される一般的な溶媒である。反応は、２５〜１２０℃で１〜２４時間行われる。最終生成物は濾過の後に集められ、洗浄、乾燥して回収される。該手順は、そのような高分子に、誘導体化サイクロフラクタンを固定するのに使用できることをクレームする。図８はＣＦと、架橋有機高分子の間の第二のエーテルリンカーを示す。
【００９０】
スキーム１は、エーテルリンカーを介した、サイクロフラクタンと架橋有機高分子の合成例を示す。
【００９１】
【化８】
2014029313.tif 000009
【００９２】
エステルリンカーを介した固定
本発明のいくつかの実施態様では、エステルリンカーを有する式（Ｉ）の化合物のクロマトグラフィー用分離剤が記載されている。合成は、これには限定されないが、架橋有機高分子のカルボキシ基と、サイクロフラクタンのヒドロキシ基との反応を含む。カルボキシ基を有する高分子は、これには限定されないが、本明細書に記載された方法のように、（メタ）アクリルモノマー、アクリル酸メチル、アクリロニトリルと、架橋性モノマー、ジビニルベンゼンの公知の懸濁重合の生成物を含む。高分子は、固定の前に、カルボキシ基で官能基化できる。カルボキシ基を有する高分子を使用し、固定は、これには限定されないが、リチウム水酸化物等の化学試薬による脱水を介してサイクロフラクタンとカルボキシ基の２５〜１５０℃、１〜２４時間の脱水反応を含む。最終生成物を濾過後に回収し、洗浄し、真空内で乾燥する。該手順は、そのような高分子に、誘導体化サイクロフラクタンを固定するのにも使用できる。図９はＣＦと、架橋有機高分子の間の第一のエステルリンカーを示す。
【００９３】
別の合成法は、これには限定されないが、塩化チオニルを使用する。合成は、これには限定されないが、サイクロフラクタンを固定する前の塩化チオニルを有する高分子類のカルボキシル基又はスルホニル基の反応を含む。カルボキシル基又はスルホニル基を有する高分子は、これには限定されないが、本明細書に記載された方法として（メタ）アクリルモノマー、グリシジルメタクリレート、スチレンモノマー、エチルスチレンと、架橋性モノマー、ジビニルベンゼンの公知の懸濁重合の生成物をカルボキシメチル化又はスルホプロピル化したものである。高分子は、これには限定されないが、２５〜１２０℃で、０．５〜３６時間、無水ジメチルホルムアミド等の溶媒中で塩化チオニルと反応し、次いで、サイクロフラクタンに添加して、分離剤とすることができる。触媒としての水素化ナトリウムの添加は任意である。濾過のあとに最終生成物を回収し、洗浄、真空内での乾燥を行うことができる。天然のサイクロフラクタンを化学的に結合するための手順は、様々なサイクロフラクタンの誘導体を結合する手順と本質的に同じであることに留意すべきである。図１０はＣＦと、架橋有機高分子の間の第二のエステルリンカーを示す。
【００９４】
スキーム２は、エステルリンカーを介した、サイクロフラクタンと架橋有機高分子の合成例を示す。
【００９５】
【化９】
2014029313.tif 000010
【００９６】
カルバメートリンカーを介した固定
本発明のいくつかの実施態様では、カルバメートリンカーを有する式（Ｉ）の化合物のクロマトグラフィー用分離剤が記載されている。合成は、これには限定されないが、少なくとも２つの方法を含む。第一の方法は、これには限定されないが、ジイソシアネート試薬を用いて、架橋有機高分子のヒドロキシ基又はアミノ基と、サイクロフラクタンのヒドロキシ基とをカルバメート結合を介して結合する。ヒドロキシ基又はアミノ基を有する高分子は、これには限定されないが、本明細書に記載された方法として（メタ）アクリルモノマー、グリシジルメタクリレートと、架橋性モノマー、エチレングリコールジメタクリレートの懸濁重合の生成物を加水分解したものである。また高分子は、固定の前に、ヒドロキシ基又はアミノ基に官能基化できる。ヒドロキシ基又はアミノ基を有する高分子を使用し、固定は、これには限定されないが、１，６−ジイソシアネートヘキサン，４，４’−メチレンジフェニル  ジイソシアネート及び１，４−フェニレン  ジイソシアネート等のジ−カルバメートリンカーを介して高分子とサイクロフラクタンが、２５〜１２０℃で、１〜１２時間、反応することを含む。図１１はＣＦと、架橋有機高分子の間の第一のカルバメートリンカーを示す。
【００９７】
スキーム３は、カルバメート結合を介した、サイクロフラクタンと架橋有機高分子の合成例を示す。
【００９８】
【化１０】
2014029313.tif 000011
【００９９】
アミノリンカーを介した固定
本発明のいくつかの実施態様では、リンカーにアミノ基が含まれる式（Ｉ）の化合物のクロマトグラフィー用分離剤が記載されている。合成は、これには限定されないが、少なくとも３つの方法を含む。第一の方法は、これには限定されないが、架橋有機高分子のアミノ基とサイクロフラクタンのヒドロキシ基との結合を含む。アミノ基を有する高分子は、これには限定されないが、本明細書に記載された方法として（メタ）アクリルモノマー、グリシジルメタクリレートと、架橋性モノマー、エチレングリコールジメタクリレートの公知の懸濁重合の生成物をアミノ化したものである。アミノ基を有さない高分子もまた固定の前にアミノ基で官能基化できる。アミノ基を用いた高分子の官能基化は、これには限定されないが、アンモニウム溶液と、クロロメチル化高分子との２５〜１５０℃で、５〜５０時間の反応を含む。アミノ基を有する高分子を使用して、固定には、これには限定されないが、ｐ−ニトロフェニルクロロホルメートを介してサイクロフラクタンと高分子の２５〜１２０℃で３〜２４時間の反応が含まれる。最終生成物は、濾過し、洗浄し、真空内で乾燥して回収できる。天然のサイクロフラクタンを化学的に結合するための手順は、様々なサイクロフラクタンの誘導体を結合する手順と本質的に同じであることに留意すべきである。図１２はＣＦと、架橋有機高分子の間の第一のアミノリンカーを示す。
【０１００】
スキーム４は、アミノリンカーを介した、サイクロフラクタンと架橋有機高分子の合成例を示す。
【０１０１】
【化１１】
2014029313.tif 000012
【０１０２】
あるいはまた、第二の方法は、これには限定されないが、架橋有機高分子とトシル化サイクロフラクタンを結合することを含む。本発明では、トシル化サイクロフラクタンの合成を記載し、トシル化官能基は、エチレンジアミンを２５〜１００℃で１〜２４時間使用することで、アミノ基に変換できる。そして、官能基化サイクロフラクタンは、エポキシ官能基を有する高分子と、２５〜１００℃で１〜２４時間反応し、固定できる。濾過のあとに最終生成物を回収し、真空下で乾燥を行う。天然のサイクロフラクタンを化学的に結合するための手順は、様々なサイクロフラクタンの誘導体を結合する手順と本質的に同じであることに留意すべきである。図１３はＣＦと、架橋有機高分子の間の第二のアミノリンカーを示す。
【０１０３】
第三の方法は、これには限定されないが、上記の第二の方法と同様である。トシル化サイクロフラクタンは、水酸化アンモニウムと架橋高分子の２５〜１００℃で３〜５０時間反応した生成物等のアミノ官能基化高分子と反応できる。架橋高分子は、本明細書に記載された方法のように、スチレンモノマー、スチレンと、架橋性モノマー、ジビニルベンゼンの懸濁重合、クロロメチル化により製造できる。濾過のあとに最終生成物を回収し、真空下で乾燥を行う。天然のサイクロフラクタンを化学的に結合するための手順は、様々なサイクロフラクタンの誘導体を結合する手順と本質的に同じであることに留意すべきである。図１４はＣＦと、架橋有機高分子の間の第三のアミノリンカーを示す。
【０１０４】
１，２，３‐トリアゾールリンカーを介した固定
本発明のいくつかの実施態様では、１，２，３‐トリアゾールリンカーを有する式（Ｉ）の化合物のクロマトグラフィー用分離剤が記載されている。合成は、これには限定されないが、アジドとアルキン間の１，３−双極子付加環化反応の２つのタイプを含み、非誘導体化及び誘導体化サイクロフラクタンを架橋高分子に固定する。
【０１０５】
本発明のいくつかの実施態様では、アジド官能基で高分子を修飾でき、一方、サイクロフラクタンはアルキンで誘導体化される。この場合、サイクロフラクタンは臭化プロパルギルと、水素化ナトリウムと０．５〜１２時間反応し、アルキン置換サイクロフラクタンが得られる。次に、アルキン置換サイクロフラクタンはアジド化した高分子に固定される。架橋高分子は、本明細書に記載された方法のように、スチレンモノマー、スチレンと、架橋性モノマー、ジビニルベンゼンのクロロメチル化懸濁重合により製造できる。濾過のあとに最終生成物を回収し、乾燥を行う。図１５はＣＦと、架橋有機高分子の間の第一のトリアゾールリンカーを示す。
【０１０６】
スキーム５は、１，２，３‐トリアゾールリンカーを介した、サイクロフラクタンと架橋有機高分子の合成例を示す。
【０１０７】
【化１２】
2014029313.tif 000013
【０１０８】
別の実施態様では、アルキンで高分子を修飾でき、一方、サイクロフラクタンはアジド官能基で誘導体化される。この場合、ピリジンの中で、０〜１２０℃で、０．５〜２４時間、ｐ−トルエンスルホニルクロライドとサイクロフラクタンを反応させて、サイクロフラクタンをトシル化することを含む。次いで、トシル化サイクロフラクタンをアジ化ナトリウムと、０．５〜１２時間、０〜１２０℃で反応させ、アジド化サイクロフラクタンを生成する。その結果、アルキン官能基化高分子にアジド化サイクロフラクタンを固定できる。架橋高分子は、本明細書に記載された方法のように、スチレンモノマー、スチレンと、架橋性モノマー、ジビニルベンゼンの懸濁重合、クロロメチル化により製造できる。濾過のあとに最終生成物を回収し、真空下で、乾燥を行う。固定反応は、０〜１２０℃で０．５〜１２０時間、銅（Ｉ）触媒を用いて行われる。濾過のあとに最終生成物を回収し、真空中で、乾燥を行う。図１６はＣＦと、架橋有機高分子の間の第二のトリアゾールリンカーを示す。
【０１０９】
天然のサイクロフラクタンを化学的に結合するための手順は、様々なサイクロフラクタンの誘導体を結合する手順と本質的に同じであることに留意すべきである。
【０１１０】
サイクロフラクタン含有モノマーの重合
さまざまな方法で天然又は誘導体化サイクロフラクタンを含むモノマーの重合を行うことができる。本発明のいくつかの実施態様では、クロマトグラフィー用分離剤である、前記天然サイクロフラクタン含有架橋有機高分子は、本明細書に記載された架橋性モノマーと、天然又は誘導体化サイクロフラクタンを含むモノマーを重合することにより製造される。本発明のいくつかの実施態様では、クロマトグラフィー用分離剤である前記誘導体化サイクロフラクタン含有架橋有機高分子は、本明細書に記載された架橋性モノマーと、天然サイクロフラクタンを含むモノマーを重合し、本明細書に記載された天然のサイクロフラクタンを誘導体化する方法により製造される。本発明の別の実施態様では、クロマトグラフィー用分離剤は、本明細書に記載するように、最初にサイクロフラクタンを部分誘導体化し、次に部分誘導体化サイクロフラクタンを含有するモノマーと、本明細書に記載された架橋性モノマーを重合する。本発明のいくつかの実施態様では、部分誘導体化サイクロフラクタンを架橋性モノマーと重合した後、さらに誘導体化して完全に誘導体化する。本発明の別の実施態様では、部分誘導体化サイクロフラクタンを架橋性モノマーと重合した後、不均質に誘導体化されたサイクロフラクタンを提供するために、別の基で官能基化する。重合を介した本発明のクロマトグラフィー用分離剤を製造するためのいくつかの手順が、本明細書に提示される。しかしながら、当業者は、同様の手順でその製品を製造できることを理解するであろう。
【０１１１】
天然又は誘導体化サイクロフラクタンの重合の手順は、これには限定されないが、サイクロフラクタンのヒドロキシ基にビニル基が導入されるモノマーを含む。サイクロフラクタンとヒドロキノンはピリジン等の有機溶媒系に溶かされ、その溶液にメタクリル酸無水物が添加される。混合物は通常、２５〜１００℃の温度で１時間〜２４時間加熱される。沈殿後、モノマー生成物は、回収され、濾過と乾燥がなされる。サイクロフラクタン含有モノマーは、これには限定されないが、エチレングリコールジメタクリレート等の１以上の架橋性モノマーと重合され、本明細書に記載の公知の懸濁重合で架橋有機高分子を生成する。
【０１１２】
サイクロフラクタンの誘導体化
天然又は部分誘導体化サイクロフラクタンを誘導体化する手順、天然又は部分誘導体化サイクロフラクタン含有架橋有機高分子を誘導体化する手順、及び、天然又は部分誘導体化サイクロフラクタン含有モノマーを誘導体化する手順は、本質的には同じである。このような誘導体化のいくつかの手順が、本明細書に提示される。しかしながら、当業者は、同様の手順でその製品を製造できることを理解するであろう。
【０１１３】
ハロアルキル／アリール誘導体化サイクロフラクタン
本発明のいくつかの実施態様では、天然又は部分誘導体化サイクロフラクタンのハロ基による誘導体化が記載されている。このことは、これには限定されないが、サイクロフラクタン、サイクロフラクタンモノマー、又は、サイクロフラクタンを含む架橋有機高分子を、４，６−ジ−Ｏ−ペンチル−３−トリフルオロアセチル，ジクロロペンチル  イソシアネート，及び１−クロロ−２，４−ジニトロベンゼン等のハロゲン化合物で誘導体化することを含む。合成は、これには限定されないが、サイクロフラクタンと無水ジメチルホルムアミドとＤＭＦの氷冷した混合物と、微粒子水酸化ナトリウムと１−ブロモペンタンとを６〜５０時間反応させた。別の合成方法では、水素化ナトリウムがジメチルホルムアミド等の溶媒に添加されたとき、ｌ−クロロ−２，４−ジニトロベンゼンとサイクロフラクタンを２５〜１２０℃で、０．５〜１２時間反応させることができる。別の合成方法は、これには限定されないが、サイクロフラクタンと、３，５−ビス（トリフルオロメチル）フェニルイソシアネート，４−クロロフェニルイソシアネート，３，５−ジクロロフェニルイソシアネート等のイソシアネート試薬の、０．５〜１２時間、氷冷〜１００℃での反応である。溶液中の生成物は、沈殿させ、溶媒で洗浄して回収し、さらに重合用のモノマーに固定又は結合できる。
【０１１４】
アルキル及び／又はアリール誘導体化サイクロフラクタン
本発明のいくつかの実施態様では、天然又は部分誘導体化サイクロフラクタン、サイクロフラクタンモノマー、又は、アルキル基でサイクロフラクタンが固定された架橋有機高分子の誘導体化が記載されている。このことは、これには限定されないが、３，４，６−トリ−Ｏ−メチルやｐ−トルオイル等のアルキル基による誘導体化を含む。合成は、これには限定されないがジメチルスルホキシド（ＤＭＳＯ）等の溶媒中の水素化ナトリウム、サイクロフラクタン及びヨウ化メチルの、０〜１００℃、０．５〜１２時間での反応を含む。トシル化サイクロフラクタンは、ｐ−トルオイルスルホニルクロライドと、ピリジン等の溶媒で０〜１２０℃で、１〜１２時間反応できる。生成物は沈殿と濾過により回収し、乾燥する。それらは、重合のために、高分子及び／又はモノマーにさらに固定されるか又は結合する。別の態様では、これには限定されないが、イソシアネート試薬を用いてアルキル基が誘導体化する。合成は、これには限定されないが、メチルイソシアネート、エチルイソシアネート、イソプロピルイソシアネート、ｔｅｒｔ−ブチルイソシアネート、ｐ−トリルイソシアネート、Ｒ−１−（１−ナフチル）エチルイソシアネート、Ｓ−１−（１−ナフチル）エチルイソシアネート、４−メチルフェニルイソシアネート，３，５−ジメチルフェニルイソシアネート，及び、Ｓ−α−メチルベンジルイソシアネート等のイソシアネート試薬を用いて、サイクロフラクタンが１〜２４時間、２５〜１２０℃で反応する。溶液中の生成物は、沈殿させ、溶媒で洗浄して回収し、さらに重合用のモノマーに固定又は結合できる。
【０１１５】
スルホン酸化サイクロフラクタン
本発明のいくつかの実施態様では、天然又は部分誘導体化サイクロフラクタン、サイクロフラクタンモノマー、又は、スルホン酸基でサイクロフラクタンが固定された架橋有機高分子の誘導体化が記載されている。このことは、これには限定されないが、プロピルスルホネート等のスルホン酸基による誘導体化を含む。合成は、これには限定されないが、水素化ナトリウムとサイクロフラクタンとの、２５〜１００℃、３〜１２時間の反応を含み、さらなる反応のために、１，３−プロパンスルトンを添加する。溶液は、沈殿させ、溶媒で洗浄して回収し、さらに重合用のモノマーに固定又は結合できる。
【０１１６】
トシル化サイクロフラクタン
本発明のいくつかの実施態様では、天然又は部分誘導体化サイクロフラクタン、サイクロフラクタンモノマー、又は、トシル基でサイクロフラクタンが固定された架橋有機高分子の誘導体化が記載されている。このことは、これには限定されないが、ｐ−トルエンスルホニルクロライド等のトシル試薬による誘導体化を含む。合成は、これには限定されないが、ピリジン等の溶媒中で、０〜１２０℃で、０．５〜３６時間、サイクロフラクタンは、ｐ−トルオイルスルホニルクロライドと反応する。サイクロフラクタンのｐ−トルオイルスルホニルクロライドによるトシル化は、水酸化カリウム水溶液中で、またテトラヒドロフラン等の溶媒中で、０．５〜１２時間、２５〜１００℃で行われる。溶液中の生成物は沈殿し、溶媒で洗浄し、さらに重合用のモノマーに固定又は結合できる。
【０１１７】
本発明では、式（Ｉ）の化合物は、サイクロフラクタンのローディング量が０．１〜９０ｗｔ％含まれ、好ましくは０．５〜５０ｗｔ％、より好ましくは５〜４０ｗｔ％である。ローディング量は、クロマトグラフィー用分離剤（最終製品）の総重量に対する天然及び／又は誘導体化サイクロフラクタンの重量の割合と定義される。サイクロフラクタンのローディング量は、これには限定されないが、元素分析、及び／又は、金属吸着で測定される。例えば、天然及び／又は誘導体化サイクロフラクタン固定反応の前後の重量差は、ロードされたサイクロフラクタンの量とクロマトグラフィー用分離剤の総重量の両方の測定により、サイクロフラクタンのローディング量の計算ができる。架橋性モノマーと、天然及び／又は誘導体化サイクロフラクタン含有モノマーの共重合の場合、重合に使用される重量パーセントは、サイクロフラクタンのローディング量であるかもしれない。本発明において、アミン基及び／又はハロ基などの識別しやすい元素は、架橋有機高分子材料にサイクロフラクタンセグメントを結合するのに使用された場合、反応の前後の元素分析に適切な元素、例えば、窒素、クロモ、ブロモ、フルオロ、水素、酸素及び炭素は、サイクロフラクタンのローディング量の計算を可能とする。サイクロフラクタンのローディング量の測定には、金属の吸着、好ましくはナトリウム、カリウム、ルビジウム、セシウム等のアルカリ金属が使用できる。本発明のクロマトグラフィー用分離剤の金属吸着はこれに先行してもよく、次いで金属イオン滴定が行われる。例えば、本発明のクロマトグラフィー用分離剤は、希釈液（０．００１〜０．５ｍＭの過マンガン酸カリウム）のバスに浸漬し、室温で１〜３６時間後に、滴定のために上層を回収し、計算されるサイクロフラクタンのローディング量に吸着したカリウム量を、カリウムとサイクロフラクタン複合体の推定割合が１：１と仮定して計算する。
【０１１８】
応用
クロマト分離法を含む本発明の実施態様では、前記クロマト分離法は、本発明の目的に反していない限りあらゆる方法によって実施される。クロマト分離法を含む本発明のいくつかの実施態様では、前記クロマト分離法は、高圧液体クロマトグラフィー（ＨＰＬＣ分析）によって実施される。クロマト分離法を含む本発明の別の実施態様では、前記クロマト分離法は、ガス液体クロマトグラフィーによって実施される。クロマト分離法を含む本発明のさらに、別の実施態様では、前記クロマト分離法は、キャピラリークロマトグラフィーによって行われる。クロマト分離法を含む本発明のいくつかの実施態様では、前記クロマト分離法は、パックドカラムガスクロマトグラフィーによって行われる。クロマト分離法を含む本発明の別の実施態様では、前記クロマト分離法は、超臨界流体クロマトグラフィー（ＳＦＣ）によって行われる。クロマト分離法を含む本発明のさらに別の実施態様では、前記のクロマト分離法が親水性相互作用液体クロマトグラフィー（ＨＩＬＩＣ）によって行われる。クロマト分離法を含む本発明の好適実施態様では、前記クロマト分離法はＨＩＬＩＣ分離である。クロマト分離法を含む本発明の別の好適実施態様では、前記クロマト分離法は、立体異性体のラセミ体混合物又は別の混合物を分離する鏡像異性体分離である。
【０１１９】
クロマト分離法を含む本発明のいくつかの実施態様では、方法は、少なくとも１種の有機溶媒又は超臨界液体を含む移動相をさらに提供することを含む。クロマト分離法が、少なくとも１種の有機溶媒又は超臨界液体を含む移動相を提供することを含む本発明のいくつかの実施態様では、前記有機溶媒は極性有機溶媒である。
【０１２０】
様々な分離に本発明のクロマトグラフィー用分離剤を使用できる。クロマトグラフィー用分離剤の応用を含む本発明の実施態様では、前記クロマト分離法は親水性相互作用液体クロマトグラフィー（ＨＩＬＩＣ）分離である。本発明の別の好適実施態様はクロマト分離法を含み、前記クロマト分離法は、立体異性体のラセミ体混合物又は別の混合物を分離する鏡像異性体分離である。
【０１２１】
ＨＩＬＩＣ分離剤は極性化合物と親水性化合物の分離に適切である。米国特許出願公開第２０１０／０３２０３７３号明細書に記載されるように、アセトニトリル、プロパノール、エタノール、メタノール、テトラヒドロフラン及びアセトン等の水溶性有機溶媒を高い含有量で含む溶離液を使用する分析技術は、検体と親水性固定相の間の親水性相互作用を促進する。
【０１２２】
本発明のキラル分離剤はキラル混合物の分離に適切である。
【０１２３】
クロマト分離法を含む本発明の実施態様では、まずクロマトグラフィー用分離剤として、架橋有機高分子に共有結合した式（Ｉ）の化合物を提供し、クロマト分離法が、最初のクロマトグラフィー用分離剤（架橋有機高分子に共有結合した式（Ｉ）の化合物）が酸、塩基、アミノ酸誘導体、第１級アミン、第２級アミン、第３級アミンその他を含む幅広い検体の分離に有用である。本発明のいくつかの実施態様は、特に、幅広い第１級アミンの分離に有用である。また本発明のクロマトグラフィー用分離剤は、一般的な有機溶媒に対して優れた安定性を示し、１０００以上のインジェクションの後にもカラム性能に有害な変化は観察されない。さらに、天然又は誘導体化サイクロフラクタンを含む本発明の分離剤は、分析的用クロマトグラフィーと分取スケールのクロマトグラフィーの両方の固定相として機能できる。
【実施例】
【０１２４】
以下の具体的かつ非限定的な実施例は、本発明のいくつかの例示的な実施態様を説明する。本明細書に示された実施例は、以下の通りである：実施例１−１〜１−４と、比較例１−１は、キラル分離剤について、実施例２−１〜２−２と、比較例２−１は、ＨＩＬＩＣ分離剤についてのものである。以下の実施例のいくつかは、ＣＦ６等の特定のＣＦ出発物質又は試薬について言及するが、本発明の本質を入れ替えたり違反したりすることなく、ＣＦ７又はＣＦ８はＣＦ６に代えることができた。実施例に使用した略語は、以下の通りである：
【０１２５】
ＣＦｎ＝サイクロフラクタンｎ，（ｎ＝６，７，及び／又は８）
ＩＰ＝イソプロピル
ＩＰＣＦｎ＝イソプロピルカルバメートで官能基化したＣＦｎ（ｎ＝６，７，及び／又は８）
ＡＡ＝酢酸
ＡＣＮ＝アセトニトリル
ＭｅＯＨ＝メタノール
ＥｔＯＨ＝エタノール
ＤＭＦ＝ジメチルホルムアミド
ＮａＯＨ＝水酸化ナトリウム
ＮａＨ＝水素化ナトリウム
ＴＥＡ＝トリエチルアミン
ＴＦＡ＝トリフルオロ酢酸
ＨＥＰ＝ヘプタン
ＴＨＦ＝テトラヒドロフラン
ＥＤＴＡ＝エチレンジアミン四酢酸
ＥＳＩ−ＭＳ＝エレクトロスプレーイオン化質量分析
【０１２６】
実施例１−１：架橋（メタ）アクリル系高分子
この実施例は、誘導体化サイクロフラクタンを含む架橋アクリルポリマーの製造と性能を示す。
【０１２７】
合成法
１００ｍｌの三口フラスコで、１．２ｇのＣＦ６を６時間オーブンにて１１０℃で乾燥した。次に、３０ｍｌの無水ピリジンを加え、ＣＦ６を溶解した。次に、乾燥窒素下で、１０ｍｌピリジン中の０．５ｍｌイソプロピルイソシアネートをサイクロフラクタン溶液に滴下した。混合物を攪拌し、９０℃で６〜１０時間加熱し、放置冷却した。
【０１２８】
同時に、３．０ｇのアクリルポリマーを３００ｍｌの三口フラスコに入れ、真空オーブンにて６時間５０℃で乾燥した。ポリマーは、３０ｗｔ％架橋グリシジルメタクリレート−エチレングリコールジメタクリレート  コポリマーであり３０μｍ直径の球体で、６５オングストロームの孔を有し、比表面積は１７０ｍ２／ｇであった。乾燥窒素保護下で、無水トルエンを加え、０．２ｇの塩化アルミニウムと０．７ｇの水素化ナトリウムを連続して加えた。次に、サイクロフラクタン混合物をポリマー−トルエンスラリーに注ぎ込む、１００℃で６時間加熱した。一旦、冷却して生成物を濾過で回収し、ＭｅＯＨとアセトン等の適切な溶媒で洗浄し、一晩真空オーブンで乾燥した。サイクロフラクタンのローディング量は２１〜３３％であった。図１６にこの分離剤を示す。
【０１２９】
カラムの準備
上記で得た固体生成物３．０ｇを、内径４．６ｍｍ、長さ２５ｃｍのステンレス製のクロマトグラフィーカラムに充填した。
【０１３０】
評価
鏡像異性体分離用のＨＰＬＣ（モデル１１００、Ａｇｉｌｅｎｔ）でクロマトグラフィーカラムを評価した。Ｒ−１−（１−ナフチル）エチルアミンとＳ−１−（１−ナフチルエチル）アミンのキラルの検体を、２５４ｎｍのＵＶ検出、流速１．０ｍｌ／ｍｉｎの２０％ＥｔＯＨ／８０％ＨＥＰ／０．１％ＴＦＡの移動相を使用する評価に使用した。
【０１３１】
結果と分析
クロマトグラフィーの結果は、１．１２の分離係数とＳ−１−（１−ナフチル）エチルアミンの保持時間９．２分（キラル分離を示す）で、Ｒ／Ｓ−１−（１−ナフチル）エチルアミンの鏡像異性体分離を示した。
【０１３２】
実施例１−２：架橋スチレン系高分子
この実施例は、スチレンポリマーが結合した誘導体化サイクロフラクタンの製造と、鏡像異性体分離性能の評価を示す。特に、この実施例と実施例１−３、実施例１−４は、アジドとアルキンの１，３−双極子付加環化反応が、非誘導体化及び誘導体サイクロフラクタンと有機高分子との結合に使用できることを示す。本発明のいくつかの実施態様では、アジド基で高分子を修飾し、一方、サイクロフラクタンはクリックケミストリー反応の前にアルキンで誘導体化される。別の実施態様では、アルキンで高分子を修飾できるが、サイクロフラクタンはアジド基で誘導体化される。この実施例では、説明だけを目的に、アジド変性スチレンポリマーは、アルキン官能基化サイクロフラクタンと反応し、サイクロフラクタン分離剤と共有結合する。
【０１３３】
合成
合成は以下の４工程を有する：アジド基を用いた高分子の官能基化、ＩＰＣＦ６の作製、プロパルギルＩＰＣＦ６の作製及びプロパルギルＣＦ６とアジドポリマーの間のクリックケミストリーの反応。最初の工程では、１３ｇのポリマーをＤＭＦ／水（９０／１６０ｍｌ）に懸濁した。ポリマーは、約４０ｗｔ％の架橋したグリシジルメタクリレート−エチルスチレン−ジビニルベンゼンコポリマーであり、１０μｍ直径の球体で、４０ｍｍの孔を有し、比表面積は３００ｍ２／ｇ、細孔容積が０．６ｍｌ／ｇであった。１０ｇのアジ化ナトリウムを混合物に加え、２０時間７０℃を超えて加熱した。一旦、冷却し、生成物を濾過し、ＤＭＦ、水、メタノール、ＴＨＦ、ＡＣＮ及びアセトン等の溶媒で洗浄した。一晩、真空下で乾燥した後、生成物の重量増加は６．２ｗｔ％であった。第二工程では、３ｇのＣＦ６をピリジンの中０．５ｍｌイソプロピルイソシアネートと７０℃の温度で数時間反応させＩＰＣＦを生成することによって、ＣＦ６はイソプロピル官能基で誘導体化された。第三工程としては、６ｇのＩＰＣＦ６を１００ｍｌの三口フラスコに入れ、２０ｍｌのＤＭＦで溶解した。０．３ｇのＮａＨと１．３ｇの臭化プロパルギルを反応のために加えた。反応の後に残留物をジクロロメタンで洗浄し、真空下乾燥した。最後の工程はクリックケミストリーを含む。プロパルギル官能基化ＩＰＣＦ６に６０ｍｌのＡＣＮ−ＭｅＯＨ混合物を加えた。０．０５ｇ銅（Ｉ）酢酸塩と、２，６−ルチジン０．３ｍｌを加え、数日間、７０℃で攪拌した。生成物は濾過された後、水、ＭｅＯＨ、ＥＤＴＡ溶液、水、ＡＣＮ、ジクロロメタン、アセトンで洗浄し、次に１２時間以上真空オーブンで乾燥した。１４ｗｔ％のサイクロフラクタンのローディング量であった。図１７にこの分離剤を示す。
【０１３４】
カラムの準備
上記で得た固体生成物３．０ｇを、内径４．６ｍｍ、長さ２５ｃｍのステンレス製のクロマトグラフィーカラムに充填した。
【０１３５】
評価
鏡像異性体分離用のＨＰＬＣ（モデル１１００、Ａｇｉｌｅｎｔ）でクロマトグラフィーカラムを評価した。Ｒ−１−（１−ナフチル）エチルアミンと、Ｓ−１−（１−ナフチルエチル）アミンと、Ｒ／Ｓ−１−（１−ナフチル）エチルアミンの５０／５０混合物を含むキラルの検体を、２５４ｎｍのＵＶ検出、流速１．０ｍｌ／ｍｉｎの６０ｖｏｌ％  ＡＣＮ，４０ｖｏｌ％  ＭｅＯＨ，０．３ｖｏｌ％  ＡＡ，及び０．２ｖｏｌ％  ＴＥＡの移動相を使用する評価に使用した。
【０１３６】
結果と分析
鏡像異性体分離性能は、Ｓ−１−（１−ナフチル）エチルアミンの６．２分の保持時間で１．０８の分離係数となり、鏡像異性体分離を示した。
【０１３７】
実施例１−３：架橋スチレン系高分子
この実施例は、スチレンポリマーと結合した誘導体化サイクロフラクタンの製造と鏡像異性体分離性能を示している。特に、この実施例、及び実施例４は、本発明のいくつかの実施例では、サイクロフラクタンを最初に、有機高分子に結合して、次に、高分子が結合した誘導体化サイクロフラクタンを形成するために誘導体化できることを示している。
【０１３８】
合成
合成は以下の４工程を有する：アジド基を用いた高分子の官能基化、プロパルギルＣＦ６の作製、プロパルギルＣＦ６とアジド化ポリマー間のクリックケミストリーの反応、及びＩＰを用いたＣＦ６の誘導体化。合成は、第二工程のＩＰＣＦ６の製造が、この手順では最後の工程に変更されたこと以外は、実施例１−２と同様の方法で行った。実施例１−２と同じポリマーと最初の合成工程を用いて、ポリマーはアジド基を用いて官能基化した。第二工程では、２ｇのＣＦ６を１００ｍｌの三口フラスコに入れ、実施例１−２と全く同じ条件で反応を行った。さらに、クリックケミストリーを含む第三工程は、実施例１−２に記載されるように行われた。誘導体化の最後のステップは、３ｇのＣＦ６を含む架橋高分子を６０ｍｌのピリジンに懸濁し、０．３ｍｌのイソプロピルイソシアネートを液滴で加え、９０℃で一晩反応させた。最終生成物を濾過後に回収し、ピリジン、ＭｅＯＨ、水、ＡＣＮ、ジクロロメタン、及びアセトンで洗浄して、真空内で乾燥した。１０ｗｔ％のサイクロフラクタンのローディング量であった。図１８にこの分離剤を示す。
【０１３９】
カラムの準備
上記で得た固体生成物３．０ｇを、内径４．６ｍｍ、長さ２５ｃｍのステンレス製のクロマトグラフィーカラムに充填した。
【０１４０】
評価
鏡像異性体分離用のＨＰＬＣ（モデル１１００、Ａｇｉｌｅｎｔ）でクロマトグラフィーカラムを評価した。Ｒ−１−（１−ナフチル）エチルアミンと、Ｓ−１−（１−ナフチルエチル）アミンの５０／５０混合物を、２５４ｎｍのＵＶ検出、流速１．０ｍｌ／ｍｉｎの６０％  ＡＣＮ，４０％  ＭｅＯＨ，０．３％  ＡＡ，及び０．２％  ＴＥＡの移動相を使用する評価に使用した。
【０１４１】
結果と分析
鏡像異性体分離性評価は、Ｓ−１−（１−ナフチル）エチルアミンの７．０分の保持時間で１．３３の分離係数となり、鏡像異性体分離を示した。
【０１４２】
実施例１−４：架橋スチレン系高分子
この実施例は、クロロメチル化スチレンポリマーと結合した誘導体化サイクロフラクタンの製造と鏡像異性体分離性能を示している。
【０１４３】
合成
３００ｍｌの三口フラスコで、３ｇのポリマーを１００ｍｌのＡＣＮと５０ｍｌの０．２ｗｔ％ＮａＯＨ溶液で懸濁した。ポリマーは、約３５ｗｔ％の架橋したクロロメチルスチレン−エチレンスチレン−ジビニルベンゼンコポリマーであり、１０μｍ直径の球体で、３４ｎｍの孔を有し、比表面積は４２０ｍ２／ｇ、細孔容積が０．７ｍｌ／ｇであった。約３ｍｌのプロパルギルアミンを１２時間かけて加え、還流した。混合物を一旦冷やし、製品は濾過されて回収され、水、ＭｅＯＨ、ＡＣＮ、及びアセトンで洗浄して、次に、一晩真空下に乾燥した。同時に、トシル化ＣＦ６を、米国特許出願公開第１９７８／４１６９０７９号明細書（Ｔａｂｕｓｈｉ、Ｓｈｉｍｉｚｕ、Ｙａｍａｍｕｒａ）に記載の同じ方法によって製造した。５．０ｇのトシル化ＣＦ６を水で溶解し、３．０ｇのアジ化ナトリウムを加え、反応物を還流した。反応はＥＳＩ−ＭＳによってモニターされて、反応物質がアジド化ＣＦ６を生成して消費するまで行われた。生成物は、エバポレートして、精製した。別のフラスコで、事前に準備した３．０ｇのプロパルギル−ポリマーをＡＣＮとＭｅＯＨの混合物中に懸濁した。０．０６ｇの銅（Ｉ）酢酸塩と０．３ｍｌの２、６−ルチジンを、反応を行うために３．０ｇのアジド化ＣＦ６生成物に加えた。生成物（アジド化ＣＦ６−プロパルギル−ポリマー）は、溶媒で洗浄して、一晩真空下で乾燥した。スラリー溶液を、６０ｍｌのピリジンに懸濁して、９０℃に加熱した。０．３ｍｌのイソプロピルイソシアネートを加え、そして、反応物を１２時間攪拌した。最終生成物は、濾過により回収し、本明細書に規定されるように洗浄して、乾燥した。１３ｗｔ％のサイクロフラクタンがロードされた。図１９にこの分離剤を示す。
【０１４４】
カラムの準備
上記で得た固体生成物３．０ｇを、内径４．６ｍｍ、長さ２５ｃｍのステンレス製のクロマトグラフィーカラムに充填した。
【０１４５】
評価
鏡像異性体分離用のＨＰＬＣ（モデル１１００、Ａｇｉｌｅｎｔ）でクロマトグラフィーカラムを評価した。それぞれの検体は、トランス−１−アミノ−２−インダノール、シス−１−アミノ−２−インダノール，２−アミノ−１，２−ジフェニルエタノール，２−アミノ−１−（４−ニトロフェニル）−１，３−プロパンジオール，１−アミノインダン，１−（１−ナフチル）エチルアミン，１−（２−ナフチル）エチルアミン，α−（１−アミノエチル）−４−ヒドロキシベンジルアルコール塩酸塩，及びフェニルプロパノールアミン塩酸塩のＲ／Ｓ又はＤ／Ｌ異性体の５０／５０混合物を含む。これらの分離は、２５４ｎｍのＵＶ検出で、ＡＣＮ，ＭｅＯＨ，ＡＡ，及びＴＥＡの混合溶媒を移動相として行った。組成を表１に示す。移動相の流速は１．０ｍｌ／ｍｉｎであった。
【０１４６】
結果と分析
図２のクロマトグラムは、０．８７分の保持時間で、１．２２の分離係数でＲ／Ｓ−１−（１−ナフチル）エチルアミンの分離を示す。図２の上記の化合物の鏡像異性体分離性能は、表１に分離係数と保持時間で示される。１．００を超えた分離係数値は、キラル異性体が分離したことを示す。
【０１４７】
【表１】
2014029313.tif 000014
【０１４８】
ｋ１は、１番目に溶出している鏡像異性体の保持容量比である。ｋ２は、２番目に溶出している鏡像異性体の保持容量比である。これらは、以下の通り計算される：
ｋ１＝（ｔ１−ｔｏ）／ｔｏ
ｔｏは、カラムのデッドタイムである（すなわち、全ての保持されなかったピークがカラムから溶出する時間）
【０１４９】
アルファ（α）は、分離係数であり、以下の通り計算される：
ａｌｐｈａ＝ｋ２／ｋ１
【０１５０】
Ｒｓは分離度である（２つの異性体ピークの間の）。それは以下の通り計算される。
Ｒｓ＝（ｔ２-ｔ１）／（ｗ１＋ｗ２）
ｗ１とｗ２はそれぞれベースラインピーク幅又は１番目と２番目のピークである。
【０１５１】
比較例１−１：シリカ結合材料
この例は米国特許出願公開第２０１１／００２４２９２号明細書に記載されるシリカが結合した誘導体化サイクロフラクタンと、本発明で記載される高分子が結合した誘導体化サイクロフラクタンの間の比較を示している。
【０１５２】
合成
分離剤ＬＡＲＩＨＣ  ＣＦ６−Ｐを準備し、クロマトグラフィーのカラムにＡＺＹＰ（商標）を充填した。米国特許出願公開第２０１１／００２４２９２号明細書に記載されるように、ＬＡＲＩＨＣ  ＣＦ６−Ｐは、シリカが結合された誘導体化サイクロフラクタンである。
【０１５３】
評価
鏡像異性体分離用のＨＰＬＣ（モデル１１００、Ａｇｉｌｅｎｔ）でクロマトグラフィーカラムを評価した。それぞれの検体は、トランス−１−アミノ−２−インダノール、シス−１−アミノ−２−インダノール，１−アミノインダン及びフェニルプロパノールアミン塩酸塩のＲ／Ｓ又はＤ／Ｌ異性体の５０／５０混合物を含む。これらの分離は、２５４ｎｍのＵＶ検出で、ＡＣＮ，ＭｅＯＨ，ＡＡ，及びＴＥＡの混合溶媒を移動相として行った。組成を表２に示す。移動相の流速は１．０ｍｌ／ｍｉｎであった。
【０１５４】
結果と分析
表２は、シリカベースのＩＰＣＦ６の分離性能を示している。保持時間と分離係数の両方を実施例４の表と比べると、実施例４は、より高い分離係数と共に、より短い保持時間有する。高分子ベースの分離剤は、より高い効率と生産性を提供し、その結果より高い分離性能を提供する。
【０１５５】
【表２】
2014029313.tif 000015
【０１５６】
実施例２−１：クロロメチル化スチレンポリマーと結合したサイクロフラクタン
この実施例はクロロメチル化スチレンの高分子と結合したサイクロフラクタンの製造とＨＩＬＩＣ分離性能を示す。
【０１５７】
合成
３．０ｇのポリマーを５０ｍｌの無水のトルエンで懸濁した。ポリマーは、約３０ｗｔ％の架橋したクロロメチル化コポリマーである、グリシジルメタクリレート−エチルスチレン−ジビニルベンゼンコポリマーであり、１０μｍ直径の球体であった。３０分間で、２０ｍｌのＤＭＦと共に１０ｍｌの塩化チオニルを滴下した。反応混合物は、４時間で５０℃まで加熱され、次に冷して、無水トルエンで洗浄した。生成物を別の３口フラスコに移し、５０ｍｌ無水にトルエンで懸濁し、氷浴で冷された４０ｍｌのＤＭＦ中に溶解し、２．０ｇのサイクロフラクタンと０．２ｇＮａＨの反応混合物に滴下した。反応は一晩、室温で行われた。ＭｅＯＨ、水、及びアセトンで洗浄した後に、生成物を真空下で乾燥して、１７ｗｔ％のサイクロフラクタンのローディング量を得た。図２０にこの分離剤を示す。
【０１５８】
カラムの準備
上記で得た固体生成物３．０ｇを、内径４．６ｍｍ、長さ２５ｃｍのステンレス製のクロマトグラフィーカラムに充填した。
【０１５９】
評価
ヌクレオシドとマルトシドそれぞれの検体用のＲＩ検出によるＨＰＬＣ（モデル１１００、Ａｇｉｌｅｎｔ）で、ＨＩＬＩＣ分離剤を評価した。ヌクレオシド分離は、７５ｖｏｌ％ＡＣＮと２５ｖｏｌ％水の移動相を用いて、流速１．０ｍｌ／ｍｉｎで測定した。マルトシド分離は、９０ｖｏｌ％ＡＣＮと１０ｖｏｌ％の２０ｍＭ酢酸アンモニウム（ｐＨ＝４．１）の移動相を用いて、流速１．０ｍｌ／ｍｉｎで測定した。両方の測定で、ＲＩ検出モードが使用された。
【０１６０】
結果と分析
結果を図３と図４に示す。個々のピークは良好な分離性能を示す。クロマトグラムにおける、ピークの数は両方の図とも検体の数と同じである。そして、ピークは重なっていない。これはＨＩＬＩＣ分離剤の合成が成功したことを示す。
【０１６１】
図３では、５つのヌクレオシド検体は以下の通りであった。１：チミジン、２：ウリジン、３：アデノシン、４：シチジン、５：グアノシン。
【０１６２】
図４では、マルトシド検体は以下の通りであった。１：マルトース、２：マルトトリオース、３：マルトテトラオース、４：マルトペンタオース、５：マルトヘキサオース、６：マルトヘプタオース。
【０１６３】
実施例２−２：エポキシ官能基化スチレンのポリマーと結合したサイクロフラクタン
この実施例は、エポキシ官能基化スチレンのポリマーと結合したサイクロフラクタンの製造とＨＩＬＩＣ分離性能を示す。
【０１６４】
合成
合成は以下の３工程を含む：アジド基を有するポリマーの官能基化、プロパルギル化ＣＦ６の作製、アジド化ポリマーとプロパルギル化ＣＦ６のクリックケミストリー反応、及びＣＦ６の誘導体化。この手順で使用されるポリマーを含む、実施例１−２の手順は、実施例１−２において誘導体化の最後の工程が行われないこと以外は同じである。この手順にしたがって、最終生成物は９ｗｔ％のサイクロフラクタンのローディング量であった。図２１にこの分離剤を示す。
【０１６５】
カラムの準備
上記で得た固体生成物３．０ｇを、内径４．６ｍｍ、長さ２５ｃｍのステンレス製のクロマトグラフィーカラムに充填した。
【０１６６】
評価
ＣＦ６、７及び８と、７５ｖｏｌ％ＡＣＮと２５ｖｏｌ％水の移動相を用いて、流速１．０ｍｌ／ｍｉｎで、ＲＩ検出モードを使用し、ＨＰＬＣ（モデル１１００、Ａｇｉｌｅｎｔ）により、ＨＩＬＩＣ分離剤を評価した。
【０１６７】
結果と分析
ＣＦ６〜８のＨＩＬＩＣ分離は図５に示されている。ＣＦ６の溶出又は保持時間は、約７分であった。重なり合っていない３つの分離ピークは、ベースライン分離を示し、良好なＨＩＬＩＣ分離を示す。
【０１６８】
比較例２−１：シリカに結合したサイクロフラクタン
この例はＨＩＬＩＣ分離プロセスにおけるシリカ結合されたサイクロフラクタンを示す。
【０１６９】
合成
クロマトグラフィー用分離剤（ＦＲＵＬＩＣ−Ｎ）はＡＺＹＰＲにより製造された。製造法は米国特許出願公開第２０１１／００２４２９２号明細書に記載されている。ＦＲＵＬＩＣ−Ｎは、シリカと結合した天然サイクロフラクタンである。
【０１７０】
評価
検体としてＣＦ６、７及び８と、ＲＩ検出器を使用し、ＨＰＬＣ（モデル１１００、Ａｇｉｌｅｎｔ）により、ＨＩＬＩＣ分離剤を評価した。移動相は、７８ｖｏｌ％ＡＣＮと２２ｖｏｌ％の２０ｍＭ酢酸アンモニウム（ｐＨ＝４．１）であり、流速は１．０ｍｌ／ｍｉｎである。
【０１７１】
結果と分析
結果を図６に示す。ＣＦ６の溶出又は保持時間が約１５分であった。実施例２−１における分離性能とこの結果を比べると、より長い溶出又は保持時間を有する。これは、シリカで結合された誘導体化サイクロフラクタンは、それほど有効でない分離性能を有することを示す。
【０１７２】
本発明の様々な実施例は本発明の様々な目的を達成するために記載されている。これらの実施例は、単なる例示であると認められるべきである。本発明の趣旨と範囲から逸脱しないで、多くの修正とその適応を行うことは、当業者には明らかである。
【図１】
2014029313.tif 000021
【図２】
2014029313.tif 000022
【図３】
2014029313.tif 000023
【図４】
2014029313.tif 000024
【図５】
2014029313.tif 000025
【図６】
2014029313.tif 000026
【図７】
2014029313.tif 000027
【図８】
2014029313.tif 000028
【図９】
2014029313.tif 000029
【図１０】
2014029313.tif 000030
【図１１】
2014029313.tif 000031
【図１２】
2014029313.tif 000032
【図１３】
2014029313.tif 000033
【図１４】
2014029313.tif 000034
【図１５】
2014029313.tif 000035
【図１６】
2014029313.tif 000036
【図１７】
2014029313.tif 000037
【図１８】
2014029313.tif 000038
【図１９】
2014029313.tif 000039
【図２０】
2014029313.tif 000040
【図２１】
2014029313.tif 000041
【外国語明細書】
2014029313.tif 000042
2014029313.tif 000043
2014029313.tif 000044
2014029313.tif 000045
2014029313.tif 000046
2014029313.tif 000047
2014029313.tif 000048
2014029313.tif 000049
2014029313.tif 000050
2014029313.tif 000051
2014029313.tif 000052
2014029313.tif 000053
2014029313.tif 000054
2014029313.tif 000055
2014029313.tif 000056
2014029313.tif 000057
2014029313.tif 000058
2014029313.tif 000059
2014029313.tif 000060
2014029313.tif 000061
2014029313.tif 000062
2014029313.tif 000063
2014029313.tif 000064
2014029313.tif 000065
2014029313.tif 000066
2014029313.tif 000067
2014029313.tif 000068
2014029313.tif 000069
2014029313.tif 000070
2014029313.tif 000071
2014029313.tif 000072
2014029313.tif 000073
2014029313.tif 000074
2014029313.tif 000075
2014029313.tif 000076
2014029313.tif 000077
2014029313.tif 000078
2014029313.tif 000079
2014029313.tif 000080
2014029313.tif 000081
2014029313.tif 000082
2014029313.tif 000083
2014029313.tif 000084
2014029313.tif 000085
2014029313.tif 000086
2014029313.tif 000087
2014029313.tif 000088
2014029313.tif 000089
2014029313.tif 000090
2014029313.tif 000091
2014029313.tif 000092
2014029313.tif 000093
2014029313.tif 000094
2014029313.tif 000095
2014029313.tif 000096
2014029313.tif 000097
2014029313.tif 000098
【図１】
2014029313.tif 000099
【図２】
2014029313.tif 000100
【図３】
2014029313.tif 000101
【図４】
2014029313.tif 000102
【図５】
2014029313.tif 000103
【図６】
2014029313.tif 000104
【図７】
2014029313.tif 000105
【図８】
2014029313.tif 000106
【図９】
2014029313.tif 000107
【図１０】
2014029313.tif 000108
【図１１】
2014029313.tif 000109
【図１２】
2014029313.tif 000110
【図１３】
2014029313.tif 000111
【図１４】
2014029313.tif 000112
【図１５】
2014029313.tif 000113
【図１６】
2014029313.tif 000114
【図１７】
2014029313.tif 000115
【図１８】
2014029313.tif 000116
【図１９】
2014029313.tif 000117
【図２０】
2014029313.tif 000118
【図２１】
2014029313.tif 000119